(57)【特許請求の範囲】
【請求項１】
ユーザ機器であって、
拡張型物理ダウンリンク制御チャネル（ｅＰＤＣＣＨ）で、最低制御チャネルエレメントインデックス（ｎＣＣＥ）及び最低拡張型制御チャネルエレメントインデックス（ｎｅＣＣＥ）のうちの１つ、ユーザ機器固有開始オフセット（
0005984277.tif 000193
）、及び少なくとも１つの追加のオフセット関連パラメータを受信する受信機と、
前記最低制御チャネルエレメントインデックス（ｎＣＣＥ）及び前記最低拡張型制御チャネルエレメントインデックス（ｎｅＣＣＥ）の前記１つ、前記ユーザ機器固有開始オフセット（
0005984277.tif 000194
）、並びに前記少なくとも１つの追加のオフセット関連パラメータから選択される少なくとも１つに基づいて、ハイブリッド自動リピートリクエスト肯定応答（ＨＡＲＱ−ＡＣＫ）送信に対する物理アップリンク制御チャネル（ＰＵＣＣＨ）のアップリンクリソースの割り当てを特定するプロセッサと、
割り当てられた前記アップリンクリソースを用いるＰＵＣＣＨ上で、信号を送信する送信機と
を備え、
前記受信機は、無線リソース制御（ＲＲＣ）シグナリングによって設定される検出されたｅＰＤＣＣＨセットに対するユーザ機器固有開始オフセット（
0005984277.tif 000195
）をさらに受信するユーザ機器。
【請求項２】
ユーザ機器であって、
拡張型物理ダウンリンク制御チャネル（ｅＰＤＣＣＨ）で、最低制御チャネルエレメントインデックス（ｎＣＣＥ）及び最低拡張型制御チャネルエレメントインデックス（ｎｅＣＣＥ）のうちの１つ、ユーザ機器固有開始オフセット（
0005984277.tif 000196
）、及び少なくとも１つの追加のオフセット関連パラメータを受信する受信機と、
前記最低制御チャネルエレメントインデックス（ｎＣＣＥ）及び前記最低拡張型制御チャネルエレメントインデックス（ｎｅＣＣＥ）の前記１つ、前記ユーザ機器固有開始オフセット（
0005984277.tif 000197
）、並びに前記少なくとも１つの追加のオフセット関連パラメータから選択される少なくとも１つに基づいて、ハイブリッド自動リピートリクエスト肯定応答（ＨＡＲＱ−ＡＣＫ）送信に対する物理アップリンク制御チャネル（ＰＵＣＣＨ）のアップリンクリソースの割り当てを特定するプロセッサと、
割り当てられた前記アップリンクリソースを用いるＰＵＣＣＨ上で、信号を送信する送信機と
を備え、
前記プロセッサは、後方互換性キャリアを用いるＨＡＲＱ−ＡＣＫ送信に対するＰＵＣＣＨのアップリンクリソースのＡＲＩベース割り当て（
0005984277.tif 000198
）が
0005984277.tif 000199
によって与えられることをさらに特定し、ｆ（ｎｅＣＣＥ）は、前記最低拡張型制御チャネルエレメントインデックス（ｎｅＣＣＥ）の関数であるユーザ機器。
【請求項３】
ユーザ機器であって、
拡張型物理ダウンリンク制御チャネル（ｅＰＤＣＣＨ）で、最低制御チャネルエレメントインデックス（ｎＣＣＥ）及び最低拡張型制御チャネルエレメントインデックス（ｎｅＣＣＥ）のうちの１つ、ユーザ機器固有開始オフセット（
0005984277.tif 000200
）、及び少なくとも１つの追加のオフセット関連パラメータを受信する受信機と、
前記最低制御チャネルエレメントインデックス（ｎＣＣＥ）及び前記最低拡張型制御チャネルエレメントインデックス（ｎｅＣＣＥ）の前記１つ、前記ユーザ機器固有開始オフセット（
0005984277.tif 000201
）、並びに前記少なくとも１つの追加のオフセット関連パラメータから選択される少なくとも１つに基づいて、ハイブリッド自動リピートリクエスト肯定応答（ＨＡＲＱ−ＡＣＫ）送信に対する物理アップリンク制御チャネル（ＰＵＣＣＨ）のアップリンクリソースの割り当てを特定するプロセッサと、
割り当てられた前記アップリンクリソースを用いるＰＵＣＣＨ上で、信号を送信する送信機と
を備え、
前記プロセッサは、新たなキャリアタイプ（ＮＣＴ）に関するＨＡＲＱ−ＡＣＫ送信に対するＰＵＣＣＨのアップリンクリソースのＡＰベース割り当てが
0005984277.tif 000202
又は
0005984277.tif 000203
のうちの１つによって与えられることをさらに特定し、ｆ（ｎＥＣＣＥ，ｍ）は、ｅＰＤＣＣＨセットｍにおいて前記ユーザ機器への検出されたｅＰＤＣＣＨに対する最低ｅＣＣＥインデックスの関数であり、ｍ＝０，１，...，Ｍ−１であり、Ｍは、前記ユーザ機器へのｅＰＤＣＣＨセットの数であるユーザ機器。
【請求項４】
ユーザ機器であって、
拡張型物理ダウンリンク制御チャネル（ｅＰＤＣＣＨ）で、最低制御チャネルエレメントインデックス（ｎＣＣＥ）及び最低拡張型制御チャネルエレメントインデックス（ｎｅＣＣＥ）のうちの１つ、ユーザ機器固有開始オフセット（
0005984277.tif 000204
）、及び少なくとも１つの追加のオフセット関連パラメータを受信する受信機と、
前記最低制御チャネルエレメントインデックス（ｎＣＣＥ）及び前記最低拡張型制御チャネルエレメントインデックス（ｎｅＣＣＥ）の前記１つ、前記ユーザ機器固有開始オフセット（
0005984277.tif 000205
）、並びに前記少なくとも１つの追加のオフセット関連パラメータから選択される少なくとも１つに基づいて、ハイブリッド自動リピートリクエスト肯定応答（ＨＡＲＱ−ＡＣＫ）送信に対する物理アップリンク制御チャネル（ＰＵＣＣＨ）のアップリンクリソースの割り当てを特定するプロセッサと、
割り当てられた前記アップリンクリソースを用いるＰＵＣＣＨ上で、信号を送信する送信機と
を備え、
前記プロセッサは、後方互換性キャリアを用いるＨＡＲＱ−ＡＣＫ送信に対するＰＵＣＣＨのアップリンクリソースのハイブリッド割り当て（
0005984277.tif 000206
）が
0005984277.tif 000207
によって与えられることをさらに特定するユーザ機器。
【請求項５】
前記プロセッサは、新たなキャリアタイプ（ＮＣＴ）に関するＨＡＲＱ−ＡＣＫ送信に対するＰＵＣＣＨのアップリンクリソースのＡＰベース割り当てが
0005984277.tif 000208
によって与えられることをさらに特定する請求項４に記載のユーザ機器。
【請求項６】
ユーザ機器であって、
拡張型物理ダウンリンク制御チャネル（ｅＰＤＣＣＨ）で、最低制御チャネルエレメントインデックス（ｎＣＣＥ）及び最低拡張型制御チャネルエレメントインデックス（ｎｅＣＣＥ）のうちの１つ、ユーザ機器固有開始オフセット（
0005984277.tif 000209
）、及び少なくとも１つの追加のオフセット関連パラメータを受信する受信機と、
前記最低制御チャネルエレメントインデックス（ｎＣＣＥ）及び前記最低拡張型制御チャネルエレメントインデックス（ｎｅＣＣＥ）の前記１つ、前記ユーザ機器固有開始オフセット（
0005984277.tif 000210
）、並びに前記少なくとも１つの追加のオフセット関連パラメータから選択される少なくとも１つに基づいて、ハイブリッド自動リピートリクエスト肯定応答（ＨＡＲＱ−ＡＣＫ）送信に対する物理アップリンク制御チャネル（ＰＵＣＣＨ）のアップリンクリソースの割り当てを特定するプロセッサと、
割り当てられた前記アップリンクリソースを用いるＰＵＣＣＨ上で、信号を送信する送信機と
を備え、
前記プロセッサは、新たなキャリアタイプ（ＮＣＴ）に関するＨＡＲＱ−ＡＣＫ送信に対するＰＵＣＣＨのアップリンクリソースのＡＰベース割り当てが
0005984277.tif 000211
によって与えられることをさらに特定する、ユーザ機器。
【請求項７】
ユーザ機器であって、
拡張型物理ダウンリンク制御チャネル（ｅＰＤＣＣＨ）で、最低制御チャネルエレメントインデックス（ｎＣＣＥ）及び最低拡張型制御チャネルエレメントインデックス（ｎｅＣＣＥ）のうちの１つ、ユーザ機器固有開始オフセット（
0005984277.tif 000212
）、及び少なくとも１つの追加のオフセット関連パラメータを受信する受信機と、
前記最低制御チャネルエレメントインデックス（ｎＣＣＥ）及び前記最低拡張型制御チャネルエレメントインデックス（ｎｅＣＣＥ）の前記１つ、前記ユーザ機器固有開始オフセット（
0005984277.tif 000213
）、並びに前記少なくとも１つの追加のオフセット関連パラメータから選択される少なくとも１つに基づいて、ハイブリッド自動リピートリクエスト肯定応答（ＨＡＲＱ−ＡＣＫ）送信に対する物理アップリンク制御チャネル（ＰＵＣＣＨ）のアップリンクリソースの割り当てを特定するプロセッサと、
割り当てられた前記アップリンクリソースを用いるＰＵＣＣＨ上で、信号を送信する送信機と
を備え、
前記プロセッサは、拡張型ＰＤＣＣＨの送信のためのサブフレームｎに対するリソース割り当てのためのＨＡＲＱ−ＡＣＫバンドリングに対する物理アップリンク制御チャネル（ＰＵＣＣＨ）のアップリンクリソースの割り当てが、ｅＰＤＣＣＨ−ＰＲＢセットｑが分散型送信に対して設定される場合、
0005984277.tif 000214
、ｅＰＤＣＣＨ−ＰＲＢセットｑが局在型送信に対して設定される場合、
0005984277.tif 000215
によって与えられることをさらに特定するユーザ機器。
【請求項８】
ユーザ機器であって、
拡張型物理ダウンリンク制御チャネル（ｅＰＤＣＣＨ）で、最低制御チャネルエレメントインデックス（ｎＣＣＥ）及び最低拡張型制御チャネルエレメントインデックス（ｎｅＣＣＥ）のうちの１つ、ユーザ機器固有開始オフセット（
0005984277.tif 000216
）、及び少なくとも１つの追加のオフセット関連パラメータを受信する受信機と、
前記最低制御チャネルエレメントインデックス（ｎＣＣＥ）及び前記最低拡張型制御チャネルエレメントインデックス（ｎｅＣＣＥ）の前記１つ、前記ユーザ機器固有開始オフセット（
0005984277.tif 000217
）、並びに前記少なくとも１つの追加のオフセット関連パラメータから選択される少なくとも１つに基づいて、ハイブリッド自動リピートリクエスト肯定応答（ＨＡＲＱ−ＡＣＫ）送信に対する物理アップリンク制御チャネル（ＰＵＣＣＨ）のアップリンクリソースの割り当てを特定するプロセッサと、
割り当てられた前記アップリンクリソースを用いるＰＵＣＣＨ上で、信号を送信する送信機と
を備え、
前記プロセッサは、さらに、
ＨＡＲＱ−ＡＣＫ送信に対するＰＵＣＣＨのアップリンクリソースのＡＲＩベース割り当てが
0005984277.tif 000218
によって与えられることを特定し、ｖａｌｕｅは、特定のサブフレーム、シグナリングされた値、物理ダウンリンク共有チャネル、及び半永続的スケジューリング（ＳＰＳ）のうちの１又は複数に関連付けられ、
サブフレームにおいて用いられてＰＵＣＣＨフォーマット３に対して設定される拡張型ＰＤＣＣＨに対して、ＡＲＩオフセット値に基づいて、ＨＡＲＱ−ＡＣＫ送信に対するＰＵＣＣＨのアップリンクリソースの割り当てを特定し、
４つの設定されたリソースの中の用いられるＰＵＣＣＨフォーマット３リソースを示すために、プライマリセル上の１に等しいダウンリンク割り当てインデックス（ＤＡＩ）を有するサブフレーム以外において、サブフレームにおいて用いられてＰＵＣＣＨフォーマット３に対して設定される拡張型ＰＤＣＣＨに対して、複数の送信電力制御（ＴＰＣ）を用いるＨＡＲＱ−ＡＣＫ送信に対するＰＵＣＣＨのアップリンクリソースの割り当てを特定し、
サブフレームにおいて用いられてキャリアアグリゲーションに対して設定される前記ユーザ機器に対するチャネル選択を伴うＰＵＣＣＨフォーマット３及びＰＵＣＣＨフォーマット１ｂのうちの１つに対して設定される拡張型ＰＤＣＣＨに対して、プライマリセル上で送信される複数の拡張型ＰＤＣＣＨに対する前記ＡＲＩオフセット値を含むＨＡＲＱ−ＡＣＫ送信に対するＰＵＣＣＨのアップリンクリソースの割り当てを特定し、
拡張型ＰＤＣＣＨのためのダウンリンク（ＤＬ）サブフレームに対するＲＲＣシグナリングによって設定される拡張型ＰＤＣＣＨセットｓに対するユーザ機器固有開始オフセットを用い、レガシーＰＤＣＣＨに関連付けられる複数のＤＬサブフレームに対するＲＲＣシグナリングによって設定される拡張型ＰＤＣＣＨセットｓに対するセル固有開始オフセットを用いるＨＡＲＱ−ＡＣＫ送信に対する前記ＰＵＣＣＨの前記アップリンクリソースの前記割り当てを特定するユーザ機器。
【請求項９】
前記プロセッサは、サブフレーム内でＨＡＲＱ−ＡＣＫ  ＰＵＣＣＨリソース値を特定するために、プライマリセルにおいて及び各セカンダリセルにおいて、各ＰＤＣＣＨ割り当て上で前記ＨＡＲＱ−ＡＣＫ  ＰＵＣＣＨリソース値をさらに送信する請求項１から８のいずれか一項に記載のユーザ機器。
【請求項１０】
前記受信機は、１に等しいＤＡＩを有する単一の物理ダウンリンク共有チャネル（ＰＤＳＣＨ）をプライマリセル上でさらに受信し、前記プロセッサは、ＨＡＲＱ−ＡＣＫ送信に対する物理アップリンク制御チャネル（ＰＵＣＣＨ）のアップリンクリソースの割り当てに対する動的リソース割り当てを伴うＰＵＣＣＨフォーマット１ａ／１ｂを用いる請求項１から９のいずれか一項に記載のユーザ機器。
【請求項１１】
前記プロセッサは、複数のダウンリンクサブフレームに対して、拡張型物理ダウンリンク制御チャネル及びレガシー物理ダウンリンク制御チャネルのうちの１つだけをさらに用いる請求項１から１０のいずれか一項に記載のユーザ機器。
【請求項１２】
前記少なくとも１つの追加のオフセット関連パラメータは、肯定応答／否定応答（ＡＣＫ／ＮＡＣＫ）リソースオフセット（ＡＲＯ）値、アンテナポートオフセット（ＡＰ）、規定のサブフレームにおけるユーザ機器への複数のｅＰＤＣＣＨセットの中のｅＣＣＥインデックスの最大数（Ｎｍ）、複数の協調セルにおいて前記ユーザ機器との衝突を回避するために上位レイヤのシグナリングによって前記ユーザ機器に通知されたオフセット（
0005984277.tif 000219
）、並びに特定のサブフレーム、シグナリングされた値、物理ダウンリンク共有チャネル、及び半永続的スケジューリング（ＳＰＳ）のうちの１又は複数に関連付けられる値から選択される少なくとも１つを備える請求項１から１１のいずれか一項に記載のユーザ機器。
【請求項１３】
ユーザ機器が、拡張型物理ダウンリンク制御チャネルリソース割り当てを伴う動的ハイブリッド自動リピートリクエスト肯定応答（ＨＡＲＱ−ＡＣＫ）送信を提供する方法であって、
前記ユーザ機器が、拡張型物理ダウンリンク制御チャネル（ｅＰＤＣＣＨ）で、最低制御チャネルエレメントインデックス（ｎＣＣＥ）及び最低拡張型制御チャネルエレメントインデックス（ｎｅＣＣＥ）のうちの１つを受信する段階と、
前記ユーザ機器が、拡張型物理ダウンリンク制御チャネル（ｅＰＤＣＣＨ）で、ユーザ機器固有開始オフセット（
0005984277.tif 000220
）を受信する段階と、
拡張型物理ダウンリンク制御チャネル（ｅＰＤＣＣＨ）で、肯定応答／否定応答（ＡＣＫ／ＮＡＣＫ）リソースオフセット（ＡＲＯ）値、アンテナポートオフセット（ＡＰ)、規定のサブフレームにおけるユーザ機器への複数のｅＰＤＣＣＨセットの中の複数のｅＣＣＥインデックスの最大数（Ｎｍ）、複数の協調セルにおける前記ユーザ機器との衝突を回避するために上位レイヤのシグナリングによって前記ユーザ機器に通知されたオフセット（
0005984277.tif 000221
）、並びに特定のサブフレーム、シグナリングされた値、物理ダウンリンク共有チャネル、及び半永続的スケジューリング（ＳＰＳ）のうちの１又は複数に関連付けられる値から選択される少なくとも１つを、前記ユーザ機器が受信する段階と、
最低制御チャネルエレメントインデックス（ｎＣＣＥ）及び最低拡張型制御チャネルエレメントインデックス（ｎｅＣＣＥ）のうちの前記１つ、前記ユーザ機器固有開始オフセット（
0005984277.tif 000222
）、並びに肯定応答／否定応答（ＡＣＫ／ＮＡＣＫ）リソースオフセット（ＡＲＯ）値、アンテナポートオフセット（ＡＰ）、規定のサブフレームにおけるユーザ機器への前記複数のｅＰＤＣＣＨセットの中の複数のｅＣＣＥインデックスの最大数（Ｎｍ）、複数の協調セルにおける前記ユーザ機器との衝突を回避するために上位レイヤのシグナリングによって前記ユーザ機器に通知されたオフセット（
0005984277.tif 000223
）、並びに特定のサブフレーム、シグナリングされた値、物理ダウンリンク共有チャネル、及び半永続的スケジューリング（ＳＰＳ）のうちの１又は複数に関連付けられる値から選択される少なくとも１つに基づいて、ＨＡＲＱ−ＡＣＫ送信に対する物理アップリンク制御チャネル（ＰＵＣＣＨ）のアップリンクリソースの割り当てを、前記ユーザ機器が特定する段階と
を備え、
ユーザ機器固有開始オフセット（
0005984277.tif 000224
）を受信する前記段階は、前記ユーザ機器が、ＲＲＣシグナリングによって設定される検出されたｅＰＤＣＣＨセットに対するユーザ機器固有開始オフセット（
0005984277.tif 000225
）を受信する段階をさらに備える方法。
【請求項１４】
ユーザ機器が、拡張型物理ダウンリンク制御チャネルリソース割り当てを伴う動的ハイブリッド自動リピートリクエスト肯定応答（ＨＡＲＱ−ＡＣＫ）送信を提供する方法であって、
前記ユーザ機器が、拡張型物理ダウンリンク制御チャネル（ｅＰＤＣＣＨ）で、最低制御チャネルエレメントインデックス（ｎＣＣＥ）及び最低拡張型制御チャネルエレメントインデックス（ｎｅＣＣＥ）のうちの１つを受信する段階と、
前記ユーザ機器が、拡張型物理ダウンリンク制御チャネル（ｅＰＤＣＣＨ）で、ユーザ機器固有開始オフセット（
0005984277.tif 000226
）を受信する段階と、
拡張型物理ダウンリンク制御チャネル（ｅＰＤＣＣＨ）で、肯定応答／否定応答（ＡＣＫ／ＮＡＣＫ）リソースオフセット（ＡＲＯ）値、アンテナポートオフセット（ＡＰ)、規定のサブフレームにおけるユーザ機器への複数のｅＰＤＣＣＨセットの中の複数のｅＣＣＥインデックスの最大数（Ｎｍ）、複数の協調セルにおける前記ユーザ機器との衝突を回避するために上位レイヤのシグナリングによって前記ユーザ機器に通知されたオフセット（
0005984277.tif 000227
）、並びに特定のサブフレーム、シグナリングされた値、物理ダウンリンク共有チャネル、及び半永続的スケジューリング（ＳＰＳ）のうちの１又は複数に関連付けられる値から選択される少なくとも１つを、前記ユーザ機器が受信する段階と、
最低制御チャネルエレメントインデックス（ｎＣＣＥ）及び最低拡張型制御チャネルエレメントインデックス（ｎｅＣＣＥ）のうちの前記１つ、前記ユーザ機器固有開始オフセット（
0005984277.tif 000228
）、並びに肯定応答／否定応答（ＡＣＫ／ＮＡＣＫ）リソースオフセット（ＡＲＯ）値、アンテナポートオフセット（ＡＰ）、規定のサブフレームにおけるユーザ機器への前記複数のｅＰＤＣＣＨセットの中の複数のｅＣＣＥインデックスの最大数（Ｎｍ）、複数の協調セルにおける前記ユーザ機器との衝突を回避するために上位レイヤのシグナリングによって前記ユーザ機器に通知されたオフセット（
0005984277.tif 000229
）、並びに特定のサブフレーム、シグナリングされた値、物理ダウンリンク共有チャネル、及び半永続的スケジューリング（ＳＰＳ）のうちの１又は複数に関連付けられる値から選択される少なくとも１つに基づいて、ＨＡＲＱ−ＡＣＫ送信に対する物理アップリンク制御チャネル（ＰＵＣＣＨ）のアップリンクリソースの割り当てを、前記ユーザ機器が特定する段階と
を備え、
ＨＡＲＱ−ＡＣＫ送信に対する物理アップリンク制御チャネル（ＰＵＣＣＨ）のアップリンクリソースの割り当てを特定する前記段階は、前記ユーザ機器が、後方互換性キャリアを用いるＨＡＲＱ−ＡＣＫ送信に対するＰＵＣＣＨのアップリンクリソースのＡＲＩベース割り当て（
0005984277.tif 000230
）が
0005984277.tif 000231
によって与えられることを特定する段階を備え、ｆ（ｎｅＣＣＥ）は、前記最低拡張型制御チャネルエレメントインデックス（ｎｅＣＣＥ）の関数である方法。
【請求項１５】
ユーザ機器が、拡張型物理ダウンリンク制御チャネルリソース割り当てを伴う動的ハイブリッド自動リピートリクエスト肯定応答（ＨＡＲＱ−ＡＣＫ）送信を提供する方法であって、
前記ユーザ機器が、拡張型物理ダウンリンク制御チャネル（ｅＰＤＣＣＨ）で、最低制御チャネルエレメントインデックス（ｎＣＣＥ）及び最低拡張型制御チャネルエレメントインデックス（ｎｅＣＣＥ）のうちの１つを受信する段階と、
前記ユーザ機器が、拡張型物理ダウンリンク制御チャネル（ｅＰＤＣＣＨ）で、ユーザ機器固有開始オフセット（
0005984277.tif 000232
）を受信する段階と、
拡張型物理ダウンリンク制御チャネル（ｅＰＤＣＣＨ）で、肯定応答／否定応答（ＡＣＫ／ＮＡＣＫ）リソースオフセット（ＡＲＯ）値、アンテナポートオフセット（ＡＰ)、規定のサブフレームにおけるユーザ機器への複数のｅＰＤＣＣＨセットの中の複数のｅＣＣＥインデックスの最大数（Ｎｍ）、複数の協調セルにおける前記ユーザ機器との衝突を回避するために上位レイヤのシグナリングによって前記ユーザ機器に通知されたオフセット（
0005984277.tif 000233
）、並びに特定のサブフレーム、シグナリングされた値、物理ダウンリンク共有チャネル、及び半永続的スケジューリング（ＳＰＳ）のうちの１又は複数に関連付けられる値から選択される少なくとも１つを、前記ユーザ機器が受信する段階と、
最低制御チャネルエレメントインデックス（ｎＣＣＥ）及び最低拡張型制御チャネルエレメントインデックス（ｎｅＣＣＥ）のうちの前記１つ、前記ユーザ機器固有開始オフセット（
0005984277.tif 000234
）、並びに肯定応答／否定応答（ＡＣＫ／ＮＡＣＫ）リソースオフセット（ＡＲＯ）値、アンテナポートオフセット（ＡＰ）、規定のサブフレームにおけるユーザ機器への前記複数のｅＰＤＣＣＨセットの中の複数のｅＣＣＥインデックスの最大数（Ｎｍ）、複数の協調セルにおける前記ユーザ機器との衝突を回避するために上位レイヤのシグナリングによって前記ユーザ機器に通知されたオフセット（
0005984277.tif 000235
）、並びに特定のサブフレーム、シグナリングされた値、物理ダウンリンク共有チャネル、及び半永続的スケジューリング（ＳＰＳ）のうちの１又は複数に関連付けられる値から選択される少なくとも１つに基づいて、ＨＡＲＱ−ＡＣＫ送信に対する物理アップリンク制御チャネル（ＰＵＣＣＨ）のアップリンクリソースの割り当てを、前記ユーザ機器が特定する段階と
を備え、
ＨＡＲＱ−ＡＣＫ送信に対する物理アップリンク制御チャネル（ＰＵＣＣＨ）のアップリンクリソースの割り当てを特定する前記段階は、新たなキャリアタイプ（ＮＣＴ）に関するＨＡＲＱ−ＡＣＫ送信に対するＰＵＣＣＨのアップリンクリソースのＡＰベース割り当てが
0005984277.tif 000236
又は
0005984277.tif 000237
のうちの１つによって与えられることを、前記ユーザ機器が特定する段階を備え、ここで、ｆ（ｎＥＣＣＥ，ｍ）は、ｅＰＤＣＣＨセットｍにおいて前記ユーザ機器への検出されたｅＰＤＣＣＨに対する最低ｅＣＣＥインデックスの関数であり、ｍ＝０，１，...，Ｍ−１であり、Ｍは、前記ユーザ機器へのｅＰＤＣＣＨセットの数である方法。
【請求項１６】
ユーザ機器が、拡張型物理ダウンリンク制御チャネルリソース割り当てを伴う動的ハイブリッド自動リピートリクエスト肯定応答（ＨＡＲＱ−ＡＣＫ）送信を提供する方法であって、
前記ユーザ機器が、拡張型物理ダウンリンク制御チャネル（ｅＰＤＣＣＨ）で、最低制御チャネルエレメントインデックス（ｎＣＣＥ）及び最低拡張型制御チャネルエレメントインデックス（ｎｅＣＣＥ）のうちの１つを受信する段階と、
前記ユーザ機器が、拡張型物理ダウンリンク制御チャネル（ｅＰＤＣＣＨ）で、ユーザ機器固有開始オフセット（
0005984277.tif 000238
）を受信する段階と、
拡張型物理ダウンリンク制御チャネル（ｅＰＤＣＣＨ）で、肯定応答／否定応答（ＡＣＫ／ＮＡＣＫ）リソースオフセット（ＡＲＯ）値、アンテナポートオフセット（ＡＰ)、規定のサブフレームにおけるユーザ機器への複数のｅＰＤＣＣＨセットの中の複数のｅＣＣＥインデックスの最大数（Ｎｍ）、複数の協調セルにおける前記ユーザ機器との衝突を回避するために上位レイヤのシグナリングによって前記ユーザ機器に通知されたオフセット（
0005984277.tif 000239
）、並びに特定のサブフレーム、シグナリングされた値、物理ダウンリンク共有チャネル、及び半永続的スケジューリング（ＳＰＳ）のうちの１又は複数に関連付けられる値から選択される少なくとも１つを、前記ユーザ機器が受信する段階と、
最低制御チャネルエレメントインデックス（ｎＣＣＥ）及び最低拡張型制御チャネルエレメントインデックス（ｎｅＣＣＥ）のうちの前記１つ、前記ユーザ機器固有開始オフセット（
0005984277.tif 000240
）、並びに肯定応答／否定応答（ＡＣＫ／ＮＡＣＫ）リソースオフセット（ＡＲＯ）値、アンテナポートオフセット（ＡＰ）、規定のサブフレームにおけるユーザ機器への前記複数のｅＰＤＣＣＨセットの中の複数のｅＣＣＥインデックスの最大数（Ｎｍ）、複数の協調セルにおける前記ユーザ機器との衝突を回避するために上位レイヤのシグナリングによって前記ユーザ機器に通知されたオフセット（
0005984277.tif 000241
）、並びに特定のサブフレーム、シグナリングされた値、物理ダウンリンク共有チャネル、及び半永続的スケジューリング（ＳＰＳ）のうちの１又は複数に関連付けられる値から選択される少なくとも１つに基づいて、ＨＡＲＱ−ＡＣＫ送信に対する物理アップリンク制御チャネル（ＰＵＣＣＨ）のアップリンクリソースの割り当てを、前記ユーザ機器が特定する段階と
を備え、
ＨＡＲＱ−ＡＣＫ送信に対する物理アップリンク制御チャネル（ＰＵＣＣＨ）のアップリンクリソースの割り当てを特定する前記段階は、前記ユーザ機器が、後方互換性キャリアを用いるＨＡＲＱ−ＡＣＫ送信に対するＰＵＣＣＨのアップリンクリソースのハイブリッド割り当て（
0005984277.tif 000242
）が
0005984277.tif 000243
によって与えられることを特定する段階を備える方法。
【請求項１７】
ＨＡＲＱ−ＡＣＫ送信に対する物理アップリンク制御チャネル（ＰＵＣＣＨ）のアップリンクリソースの割り当てを特定する前記段階は、前記ユーザ機器が、新たなキャリアタイプ（ＮＣＴ）に関するＨＡＲＱ−ＡＣＫ送信に対するＰＵＣＣＨのアップリンクリソースのＡＰベース割り当てが
0005984277.tif 000244
によって与えられることを特定する段階を備える請求項１６に記載の方法。
【請求項１８】
ユーザ機器が、拡張型物理ダウンリンク制御チャネルリソース割り当てを伴う動的ハイブリッド自動リピートリクエスト肯定応答（ＨＡＲＱ−ＡＣＫ）送信を提供する方法であって、
前記ユーザ機器が、拡張型物理ダウンリンク制御チャネル（ｅＰＤＣＣＨ）で、最低制御チャネルエレメントインデックス（ｎＣＣＥ）及び最低拡張型制御チャネルエレメントインデックス（ｎｅＣＣＥ）のうちの１つを受信する段階と、
前記ユーザ機器が、拡張型物理ダウンリンク制御チャネル（ｅＰＤＣＣＨ）で、ユーザ機器固有開始オフセット（
0005984277.tif 000245
）を受信する段階と、
拡張型物理ダウンリンク制御チャネル（ｅＰＤＣＣＨ）で、肯定応答／否定応答（ＡＣＫ／ＮＡＣＫ）リソースオフセット（ＡＲＯ）値、アンテナポートオフセット（ＡＰ)、規定のサブフレームにおけるユーザ機器への複数のｅＰＤＣＣＨセットの中の複数のｅＣＣＥインデックスの最大数（Ｎｍ）、複数の協調セルにおける前記ユーザ機器との衝突を回避するために上位レイヤのシグナリングによって前記ユーザ機器に通知されたオフセット（
0005984277.tif 000246
）、並びに特定のサブフレーム、シグナリングされた値、物理ダウンリンク共有チャネル、及び半永続的スケジューリング（ＳＰＳ）のうちの１又は複数に関連付けられる値から選択される少なくとも１つを、前記ユーザ機器が受信する段階と、
最低制御チャネルエレメントインデックス（ｎＣＣＥ）及び最低拡張型制御チャネルエレメントインデックス（ｎｅＣＣＥ）のうちの前記１つ、前記ユーザ機器固有開始オフセット（
0005984277.tif 000247
）、並びに肯定応答／否定応答（ＡＣＫ／ＮＡＣＫ）リソースオフセット（ＡＲＯ）値、アンテナポートオフセット（ＡＰ）、規定のサブフレームにおけるユーザ機器への前記複数のｅＰＤＣＣＨセットの中の複数のｅＣＣＥインデックスの最大数（Ｎｍ）、複数の協調セルにおける前記ユーザ機器との衝突を回避するために上位レイヤのシグナリングによって前記ユーザ機器に通知されたオフセット（
0005984277.tif 000248
）、並びに特定のサブフレーム、シグナリングされた値、物理ダウンリンク共有チャネル、及び半永続的スケジューリング（ＳＰＳ）のうちの１又は複数に関連付けられる値から選択される少なくとも１つに基づいて、ＨＡＲＱ−ＡＣＫ送信に対する物理アップリンク制御チャネル（ＰＵＣＣＨ）のアップリンクリソースの割り当てを、前記ユーザ機器が特定する段階と
を備え、
ＨＡＲＱ−ＡＣＫ送信に対する物理アップリンク制御チャネル（ＰＵＣＣＨ）のアップリンクリソースの割り当てを特定する前記段階は、前記ユーザ機器が、新たなキャリアタイプ（ＮＣＴ）に関するＨＡＲＱ−ＡＣＫ送信に対するＰＵＣＣＨのアップリンクリソースのＡＰベース割り当てが
0005984277.tif 000249
によって与えられることを特定する段階を備える方法。
【請求項１９】
ユーザ機器が、拡張型物理ダウンリンク制御チャネルリソース割り当てを伴う動的ハイブリッド自動リピートリクエスト肯定応答（ＨＡＲＱ−ＡＣＫ）送信を提供する方法であって、
前記ユーザ機器が、拡張型物理ダウンリンク制御チャネル（ｅＰＤＣＣＨ）で、最低制御チャネルエレメントインデックス（ｎＣＣＥ）及び最低拡張型制御チャネルエレメントインデックス（ｎｅＣＣＥ）のうちの１つを受信する段階と、
前記ユーザ機器が、拡張型物理ダウンリンク制御チャネル（ｅＰＤＣＣＨ）で、ユーザ機器固有開始オフセット（
0005984277.tif 000250
）を受信する段階と、
拡張型物理ダウンリンク制御チャネル（ｅＰＤＣＣＨ）で、肯定応答／否定応答（ＡＣＫ／ＮＡＣＫ）リソースオフセット（ＡＲＯ）値、アンテナポートオフセット（ＡＰ)、規定のサブフレームにおけるユーザ機器への複数のｅＰＤＣＣＨセットの中の複数のｅＣＣＥインデックスの最大数（Ｎｍ）、複数の協調セルにおける前記ユーザ機器との衝突を回避するために上位レイヤのシグナリングによって前記ユーザ機器に通知されたオフセット（
0005984277.tif 000251
）、並びに特定のサブフレーム、シグナリングされた値、物理ダウンリンク共有チャネル、及び半永続的スケジューリング（ＳＰＳ）のうちの１又は複数に関連付けられる値から選択される少なくとも１つを、前記ユーザ機器が受信する段階と、
最低制御チャネルエレメントインデックス（ｎＣＣＥ）及び最低拡張型制御チャネルエレメントインデックス（ｎｅＣＣＥ）のうちの前記１つ、前記ユーザ機器固有開始オフセット（
0005984277.tif 000252
）、並びに肯定応答／否定応答（ＡＣＫ／ＮＡＣＫ）リソースオフセット（ＡＲＯ）値、アンテナポートオフセット（ＡＰ）、規定のサブフレームにおけるユーザ機器への前記複数のｅＰＤＣＣＨセットの中の複数のｅＣＣＥインデックスの最大数（Ｎｍ）、複数の協調セルにおける前記ユーザ機器との衝突を回避するために上位レイヤのシグナリングによって前記ユーザ機器に通知されたオフセット（
0005984277.tif 000253
）、並びに特定のサブフレーム、シグナリングされた値、物理ダウンリンク共有チャネル、及び半永続的スケジューリング（ＳＰＳ）のうちの１又は複数に関連付けられる値から選択される少なくとも１つに基づいて、ＨＡＲＱ−ＡＣＫ送信に対する物理アップリンク制御チャネル（ＰＵＣＣＨ）のアップリンクリソースの割り当てを、前記ユーザ機器が特定する段階と
を備え、
ＨＡＲＱ−ＡＣＫ送信に対する物理アップリンク制御チャネル（ＰＵＣＣＨ）のアップリンクリソースの割り当てを特定する前記段階は、前記ユーザ機器が、拡張型ＰＤＣＣＨの送信のためのサブフレームｎに対するリソース割り当てのためのＨＡＲＱ−ＡＣＫバンドリングに対する物理アップリンク制御チャネル（ＰＵＣＣＨ）のアップリンクリソースの割り当て特定する段階を備え、
ｅＰＤＣＣＨ−ＰＲＢセットｑが分散型送信に対して設定される場合、
0005984277.tif 000254
であり、
ｅＰＤＣＣＨ−ＰＲＢセットｑが局在型送信に対して設定される場合、
0005984277.tif 000255
である方法。
【請求項２０】
ユーザ機器が、拡張型物理ダウンリンク制御チャネルリソース割り当てを伴う動的ハイブリッド自動リピートリクエスト肯定応答（ＨＡＲＱ−ＡＣＫ）送信を提供する方法であって、
前記ユーザ機器が、拡張型物理ダウンリンク制御チャネル（ｅＰＤＣＣＨ）で、最低制御チャネルエレメントインデックス（ｎＣＣＥ）及び最低拡張型制御チャネルエレメントインデックス（ｎｅＣＣＥ）のうちの１つを受信する段階と、
前記ユーザ機器が、拡張型物理ダウンリンク制御チャネル（ｅＰＤＣＣＨ）で、ユーザ機器固有開始オフセット（
0005984277.tif 000256
）を受信する段階と、
拡張型物理ダウンリンク制御チャネル（ｅＰＤＣＣＨ）で、肯定応答／否定応答（ＡＣＫ／ＮＡＣＫ）リソースオフセット（ＡＲＯ）値、アンテナポートオフセット（ＡＰ)、規定のサブフレームにおけるユーザ機器への複数のｅＰＤＣＣＨセットの中の複数のｅＣＣＥインデックスの最大数（Ｎｍ）、複数の協調セルにおける前記ユーザ機器との衝突を回避するために上位レイヤのシグナリングによって前記ユーザ機器に通知されたオフセット（
0005984277.tif 000257
）、並びに特定のサブフレーム、シグナリングされた値、物理ダウンリンク共有チャネル、及び半永続的スケジューリング（ＳＰＳ）のうちの１又は複数に関連付けられる値から選択される少なくとも１つを、前記ユーザ機器が受信する段階と、
最低制御チャネルエレメントインデックス（ｎＣＣＥ）及び最低拡張型制御チャネルエレメントインデックス（ｎｅＣＣＥ）のうちの前記１つ、前記ユーザ機器固有開始オフセット（
0005984277.tif 000258
）、並びに肯定応答／否定応答（ＡＣＫ／ＮＡＣＫ）リソースオフセット（ＡＲＯ）値、アンテナポートオフセット（ＡＰ）、規定のサブフレームにおけるユーザ機器への前記複数のｅＰＤＣＣＨセットの中の複数のｅＣＣＥインデックスの最大数（Ｎｍ）、複数の協調セルにおける前記ユーザ機器との衝突を回避するために上位レイヤのシグナリングによって前記ユーザ機器に通知されたオフセット（
0005984277.tif 000259
）、並びに特定のサブフレーム、シグナリングされた値、物理ダウンリンク共有チャネル、及び半永続的スケジューリング（ＳＰＳ）のうちの１又は複数に関連付けられる値から選択される少なくとも１つに基づいて、ＨＡＲＱ−ＡＣＫ送信に対する物理アップリンク制御チャネル（ＰＵＣＣＨ）のアップリンクリソースの割り当てを、前記ユーザ機器が特定する段階と
を備え、
ＨＡＲＱ−ＡＣＫ送信に対する物理アップリンク制御チャネル（ＰＵＣＣＨ）のアップリンクリソースの割り当てを特定する前記段階は、前記ユーザ機器が、ＨＡＲＱ−ＡＣＫ送信に対するＰＵＣＣＨのアップリンクリソースのＡＲＩベース割り当てが
0005984277.tif 000260
によって与えられることを特定する段階を備え、ここで、ｖａｌｕｅは、特定のサブフレーム、シグナリングされた値、物理ダウンリンク共有チャネル、及び半永続的スケジューリング（ＳＰＳ）のうちの１又は複数に関連付けられる方法。
【請求項２１】
ユーザ機器が、拡張型物理ダウンリンク制御チャネルリソース割り当てを伴う動的ハイブリッド自動リピートリクエスト肯定応答（ＨＡＲＱ−ＡＣＫ）送信を提供する方法であって、
前記ユーザ機器が、拡張型物理ダウンリンク制御チャネル（ｅＰＤＣＣＨ）で、最低制御チャネルエレメントインデックス（ｎＣＣＥ）及び最低拡張型制御チャネルエレメントインデックス（ｎｅＣＣＥ）のうちの１つを受信する段階と、
前記ユーザ機器が、拡張型物理ダウンリンク制御チャネル（ｅＰＤＣＣＨ）で、ユーザ機器固有開始オフセット（
0005984277.tif 000261
）を受信する段階と、
拡張型物理ダウンリンク制御チャネル（ｅＰＤＣＣＨ）で、肯定応答／否定応答（ＡＣＫ／ＮＡＣＫ）リソースオフセット（ＡＲＯ）値、アンテナポートオフセット（ＡＰ)、規定のサブフレームにおけるユーザ機器への複数のｅＰＤＣＣＨセットの中の複数のｅＣＣＥインデックスの最大数（Ｎｍ）、複数の協調セルにおける前記ユーザ機器との衝突を回避するために上位レイヤのシグナリングによって前記ユーザ機器に通知されたオフセット（
0005984277.tif 000262
）、並びに特定のサブフレーム、シグナリングされた値、物理ダウンリンク共有チャネル、及び半永続的スケジューリング（ＳＰＳ）のうちの１又は複数に関連付けられる値から選択される少なくとも１つを、前記ユーザ機器が受信する段階と、
最低制御チャネルエレメントインデックス（ｎＣＣＥ）及び最低拡張型制御チャネルエレメントインデックス（ｎｅＣＣＥ）のうちの前記１つ、前記ユーザ機器固有開始オフセット（
0005984277.tif 000263
）、並びに肯定応答／否定応答（ＡＣＫ／ＮＡＣＫ）リソースオフセット（ＡＲＯ）値、アンテナポートオフセット（ＡＰ）、規定のサブフレームにおけるユーザ機器への前記複数のｅＰＤＣＣＨセットの中の複数のｅＣＣＥインデックスの最大数（Ｎｍ）、複数の協調セルにおける前記ユーザ機器との衝突を回避するために上位レイヤのシグナリングによって前記ユーザ機器に通知されたオフセット（
0005984277.tif 000264
）、並びに特定のサブフレーム、シグナリングされた値、物理ダウンリンク共有チャネル、及び半永続的スケジューリング（ＳＰＳ）のうちの１又は複数に関連付けられる値から選択される少なくとも１つに基づいて、ＨＡＲＱ−ＡＣＫ送信に対する物理アップリンク制御チャネル（ＰＵＣＣＨ）のアップリンクリソースの割り当てを、前記ユーザ機器が特定する段階と
を備え、
ＨＡＲＱ−ＡＣＫ送信に対する物理アップリンク制御チャネル（ＰＵＣＣＨ）のアップリンクリソースの割り当てを特定する前記段階は、
サブフレームにおいて用いられてＰＵＣＣＨフォーマット３に対して設定される拡張型ＰＤＣＣＨに対して、ＡＲＩオフセット値に基づいて、前記ユーザ機器が、ＨＡＲＱ−ＡＣＫ送信に対するＰＵＣＣＨのアップリンクリソースの割り当てを特定する段階、
４つの設定されたリソースの中の用いられるＰＵＣＣＨフォーマット３リソースを示すために、プライマリセル上の１に等しいダウンリンク割り当てインデックス（ＤＡＩ）を有するサブフレーム以外において、サブフレームにおいて用いられてＰＵＣＣＨフォーマット３に対して設定される拡張型ＰＤＣＣＨに対して、複数の送信電力制御（ＴＰＣ）を用いるＨＡＲＱ−ＡＣＫ送信に対するＰＵＣＣＨのアップリンクリソースの割り当てを、前記ユーザ機器が特定する段階、
サブフレームにおいて用いられてキャリアアグリゲーションに対して設定される前記ユーザ機器に対するチャネル選択を伴うＰＵＣＣＨフォーマット３及びＰＵＣＣＨフォーマット１ｂのうちの１つに対して設定される拡張型ＰＤＣＣＨに対して、プライマリセル上で送信される複数の拡張型ＰＤＣＣＨに対する前記ＡＲＩオフセット値を含むＨＡＲＱ−ＡＣＫ送信に対するＰＵＣＣＨのアップリンクリソースの割り当てを、前記ユーザ機器が特定する段階、及び
拡張型ＰＤＣＣＨのためのダウンリンク（ＤＬ）サブフレームに対するＲＲＣシグナリングによって設定される拡張型ＰＤＣＣＨセットｓに対するユーザ機器固有開始オフセットを用い、レガシーＰＤＣＣＨに関連付けられる複数のＤＬサブフレームに対するＲＲＣシグナリングによって設定される拡張型ＰＤＣＣＨセットｓに対するセル固有開始オフセットを用いるＨＡＲＱ−ＡＣＫ送信に対する前記ＰＵＣＣＨの前記アップリンクリソースの前記割り当てを、前記ユーザ機器が特定する段階
から選択される１つを備える方法。
【請求項２２】
ＨＡＲＱ−ＡＣＫ送信に対する物理アップリンク制御チャネル（ＰＵＣＣＨ）のアップリンクリソースの割り当てを特定する前記段階は、前記ユーザ機器が、サブフレーム内でＨＡＲＱ−ＡＣＫ  ＰＵＣＣＨリソース値を特定するために、プライマリセルにおいて及び各セカンダリセルにおいて、各ＰＤＣＣＨ割り当て上で前記ＨＡＲＱ−ＡＣＫ  ＰＵＣＣＨリソース値を送信する段階を備える請求項１３から２１のいずれか一項に記載の方法。
【請求項２３】
前記ユーザ機器が、１に等しいＤＡＩを有する単一の物理ダウンリンク共有チャネル（ＰＤＳＣＨ）をプライマリセル上で受信する段階と、前記ユーザ機器が、ＨＡＲＱ−ＡＣＫ送信に対する物理アップリンク制御チャネル（ＰＵＣＣＨ）のアップリンクリソースの割り当てに対する動的リソース割り当てを伴うＰＵＣＣＨフォーマット１ａ／１ｂを用いる段階とをさらに備える請求項１３から２２のいずれか一項に記載の方法。
【請求項２４】
前記ユーザ機器が、複数のダウンリンクサブフレームに対して、拡張型物理ダウンリンク制御チャネル及びレガシー物理ダウンリンク制御チャネルのうちの１つだけを用いる段階をさらに備える請求項１３から２３のいずれか一項に記載の方法。
【請求項２５】
請求項１３から２４のいずれか一項に記載の方法をコンピュータに実行させるためのプログラム。
【請求項２６】
請求項２５に記載のプログラムを格納するコンピュータ可読記録媒体。
【発明の詳細な説明】
【背景技術】
【０００１】
本願は、２０１２年９月２８日に出願され、発明の名称が「高度無線通信システム及び技術」である米国仮出願番号６１／７０７，７８４の優先権の利益を請求し、これによってその全体において参照により組み込まれる。
【０００２】
３ＧＰＰネットワークにおいて、物理アップリンク制御チャネル（ＰＵＣＣＨ）は、ユーザ機器（ＵＥ）から３ＧＰＰ  ｅＮｏｄｅＢ（ｅＮＢ）にアップリンク制御情報（ＵＣＩ）を送信するために用いられる。ＵＣＩ情報の例は、ハイブリッド自動リピートリクエスト肯定応答（ＨＡＲＱ−ＡＣＫ）処理における肯定応答信号である。一般的に、複数のＰＵＣＣＨリソースは、１又は複数のキャリア制御エレメント（ＣＣＥ）を用いてｅＮＢによってＰＤＣＣＨ上で送信される信号の最低ＣＣＥインデックスに基づいて、移動局に動的に割り当てられる。ＰＤＣＣＨの送信は、所与のＵＥに対してユニークなので、ＣＣＥインデックスの使用は、ＵＥがＰＵＣＣＨ上のユニークなアップリンクリソースを割り当てられるという結果をもたらす。
【０００３】
しかし、１又は複数の拡張型キャリア制御エレメント（ｅＣＣＥ）を用いる拡張型物理ダウンリンク制御チャネル（ｅＰＤＣＣＨ）は、３ＧＰＰ仕様書に最近導入された。ＰＵＣＣＨのアップリンクリソースは、ｅＰＤＣＣＨ上での送信のために用いられる１又は複数のｅＣＣＥに対する最低ｅＣＣＥインデックスに基づいてよい。いくつかの例において、最低ＣＣＥインデックス及び最低ｅＣＣＥインデックスは、同じであってよい。これらの例において、ＰＤＣＣＨの最低ＣＣＥインデックスを用いて第１のＵＥに割り当てられるアップリンクリソースは、ｅＰＤＣＣＨの最低ｅＣＣＥインデックスを用いて第２のＵＥに割り当てられるアップリンクリソースと同じであってよく、リソース割り当ての衝突をもたらす。
【０００４】
複数のセル固有参照信号（ＣＲＳ）は、複数のマルチメディアブロードキャスト／マルチキャストサービスネットワーク（ＭＢＳＦＮ）サブフレームにおけるマルチメディアブロードキャスト／マルチキャストサービス（ＭＢＭＳ）領域を除く複数のＤＬサブフレームにおいて送信されてよい。あるキャリアにおいて、非後方互換性によって、ＣＲＳは、ネットワークのエネルギの節約を提供するためだけでなく、ＤＬのスループットを増加するために取り除かれ又は減少されることができる。また、レガシーＰＤＣＣＨは送信されないが、ＰＤＳＣＨは、レガシーＰＤＣＣＨを用いる複数のレガシーセルからのクロスキャリアスケジューリング又はｅＰＤＣＣＨのいずれかによってスケジューリングされる。
【０００５】
マクロセルのカバレッジ内の複数の低電力ＲＲＨを有する異種ネットワーク、例えば、協調マルチポイント（ＣｏＭＰ）シナリオ４において、複数のＲＲＨによって生成された複数の送信／受信ポイントは、マクロセルと同じセルＩＤを有する。同じ物理セルＩＤがいくつかのＲＲＨに対して用いられるので、ＣＲＳベースのＰＤＣＣＨに対する容量は限定される。これは、主に、同期又は準同期の方法において、複数のマクロセルからだけでなく複数のＲＲＨからＣＲＳが送信されることに起因する。したがって、拡張型ＰＤＣＣＨは、ＰＤＣＣＨの容量に対処するために提案された。
【０００６】
オーバヘッド及びセル間干渉のレベルを減少するために、新たなキャリアタイプ（ＮＣＴ）が導入された。新たなキャリアタイプは、（複数の）レガシーキャリアタイプを補充し、後方互換性がある。例えば、ｅＰＤＣＣＨは、新たなキャリアタイプ（ＮＣＴ）上で送信されてよい。しかし、リソース割り当ての方法は、ＮＣＴ上で送信されるｅＰＤＣＣＨに対して開発されていない。さらに、ＨＡＲＱ−ＡＣＫ送信の動的リソース割り当ては、十分に対処されていない。
【図面の簡単な説明】
【０００７】
【図１】様々な実施形態に従うＵＥ及びｅＮＢを備えるネットワークシステムの上位レベルの例を概略的に示す。
【０００８】
【図２】実施形態に係る無線フレーム構造を示す。
【０００９】
【図３】実施形態に係るＰＤＣＣＨの送信を示す。
【００１０】
【図４】実施形態に係るマクロセルのカバレッジ内の複数の低電力リモート無線ヘッド（ＲＲＨ）を有するネットワークを示す。
【００１１】
【図５】実施形態に係る周波数領域スケジューリングを可能にする拡張型物理ダウンリンク制御チャネル（ｅＰＤＣＣＨ）を示す。ｅＰＤＣＣＨに関連付けられるＣＣＥ及びＲＥＧは、それぞれ、ｅＣＣＥ及びｅＲＥＧと称される。
【００１２】
【図６】実施形態に係るＰＵＣＣＨリソースの使用法を示す。
【００１３】
【図７】実施形態に係るＴＤＤにおけるＰＵＣＣＨリソース（ＨＡＲＱ）に対するブロックインターリーブマッピングを示す。
【００１４】
【図８】実施形態に係るレガシーＰＤＣＣＨ及びｅＰＤＣＣＨに起因するＰＵＣＣＨリソース衝突の例を示す。
【００１５】
【図９】ここで説明される様々な実施形態を実行するために用いられてよいシステムの例を概略的に示す。
【００１６】
【図１０】実施形態に係る拡張型物理ダウンリンク制御チャネルを伴う動的ハイブリッド自動リピートリクエスト肯定応答（ＨＡＲＱ−ＡＣＫ）送信を提供するための機械の例のブロック図を示す。
【発明を実施するための形態】
【００１７】
ここで説明される複数の実施形態は、拡張型物理ダウンリンク制御チャネルを伴う動的ハイブリッド自動リピートリクエスト肯定応答（ＨＡＲＱ−ＡＣＫ）送信を提供する。最低制御チャネルエレメント（ＣＣＥ）インデックス（ｎＣＣＥ）、最低拡張型制御チャネルエレメントインデックス（ｎｅＣＣＥ）、ユーザ機器固有開始オフセット（
0005984277.tif 000002
）、及び少なくとも１つの追加のオフセット関連パラメータは、拡張型物理ダウンリンク制御チャネル（ｅＰＤＣＣＨ）上で受信されてよい。ハイブリッド自動リピートリクエスト肯定応答（ＨＡＲＱ−ＡＣＫ）送信に対する物理アップリンク制御チャネル（ＰＵＣＣＨ）のアップリンクリソースの割り当ては、最低制御チャネルエレメントインデックス（ｎＣＣＥ）及び最低拡張型制御チャネルエレメントインデックス（ｎｅＣＣＥ）のうちの１つ、ユーザ機器固有開始オフセット（
0005984277.tif 000003
）、並びに少なくとも１つの追加のオフセット関連パラメータから選択される少なくとも１つに基づいて決定されてよい。サブフレームスタッキングは、複数の拡張型物理ダウンリンク制御チャネル（ｅＰＤＣＣＨ）セットに対して提供されてよく、開始オフセットは、アップリンク（ＵＬ）協調マルチポイント（ＣｏＭＰ）においてオーバーライドされてよい。オフセット値肯定応答（ＡＣＫ）／否定応答（ＮＡＣＫ）リソースインジケータ（ＡＲＩ）は、ＡＲＯ（ＡＣＫ／ＮＡＣＫリソースオフセット）で置き換えられる。オフセットＡＲＯは、プライマリセル（ＰＣｅｌｌ）のためだけに用いられる。ＡＲＯは、例えば、ＰＣｅｌｌにおける複数の設定されたリソースの中のＰＵＣＣＨリソースを示すために、プライマリセルにおいて、ＡＣＫ／ＮＡＣＫリソースインジケータとして用いられてよい。複数の送信電力制御（ＴＰＣ）コマンドは、ダウンリンク割り当てインデックス（ＤＡＩ）＞１を有する時分割二重（ＴＤＤ）に対する現実のＴＰＣとして、プライマリセルにおいて用いられる。
【００１８】
図１は、様々な実施形態に従う無線通信ネットワーク１００を概略的に示す。無線通信ネットワーク１００（以下、「ネットワーク１００」と称する。）は、進化型ユニバーサル地上無線アクセスネットワーク（Ｅ−ＵＴＲＡＮ）のような３ＧＰＰ  ＬＴＥネットワークのアクセスネットワークであってよい。ネットワーク１００は、ＵＥ１１０と無線で通信するように構成されるｅＮＢ１０５を含んでよい。
【００１９】
図１に示されるように、ＵＥ１１０は、トランシーバモジュール１２０を含んでよい。トランシーバモジュール１２０は、ネットワーク１００の他の複数のコンポーネント、例えば、ｅＮＢ１０５と無線で通信するために、ＵＥ１１０の複数のアンテナ１２５のうちの１又は複数にさらに連結されてよい。複数のアンテナ１２５は、図１に示されるように、トランシーバモジュール１２０のコンポーネントであってよい、又はＵＥ１１０の別のコンポーネントであってよい電力増幅器１３０によって電力が供給されてよい。一実施形態において、電力増幅器は、複数のアンテナ１２５上での複数の送信に対して電力を提供する。他の実施形態において、ＵＥ１１０上に複数の電力増幅器があってよい。複数のアンテナ１２５は、ＵＥ１１０が空間直交リソース送信ダイバシティ（ＳＯＲＴＤ）のような送信ダイバシティ技術を用いることを可能にする。
【００２０】
図２は、実施形態に係る無線フレーム構造２００を示す。図２において、無線フレーム２００は、１０ｍｓの全長２１４を有する。そして、これは、総計２０個の個別のスロット２１０に分割される。各サブフレーム２１２は、長さ０．５ｍｓの２つのスロット２１０を含み、各スロット２１０は、ＯＦＤＭシンボルの数Ｎｓｙｍｂ２２０を含む。したがって、フレーム２００内に１０個のサブフレーム２１２がある。サブフレーム＃１８は、サブキャリア（周波数）軸２１６及びＯＦＤＭシンボル（時間）軸２１８に関して拡大されて示される。
【００２１】
リソースエレメント（ＲＥ）２３０は、送信の最小識別可能単位であり、ＯＦＤＭシンボル期間２３４のサブキャリア２３２を含む。複数の送信は、１つの０．５ｍｓのタイムスロットの期間に対するある数の隣接するサブキャリア２３２を備える複数のリソースブロック（ＲＢ）２４０と呼ばれるより大きい単位でスケジューリングされる。したがって、周波数領域において複数のリソースを割り当てるための最小寸法単位は、「リソースブロック」（ＲＢ）２４０であり、すなわち、Ｎ＿ｓｃ＾ＲＢ個の隣接するサブキャリア２３２のグループは、リソースブロック（ＲＢ）２４０を構成する。各サブフレーム２１２は、複数の「ＮＲＢ」リソースブロック、すなわち、サブフレーム内のサブキャリアの総数ＮＲＢ×Ｎ＿ｓｃ＾ＲＢ  ２５０を含む。
【００２２】
複数のＣＳＩ−ＩＭリソースエレメントは、ゼロパワー（ＺＰ）ＣＳＩ−ＲＳの複数のリソースエレメントとして構成されてよい。ＺＰ  ＣＳＩ−ＲＳは、複数のミュートされたＣＳＩ−ＲＳ又は複数のミュートされたリソースエレメント（ＲＥ）と称されてよい。ゼロパワーＣＳＩ−ＲＳは、ＣＳＩ−ＲＳパターンであり、ここで、複数のリソースエレメントは用いられず、すなわち、これらのリソースエレメント上で送信される信号がない。いくつかの場合において、ゼロパワーＣＳＩ−ＲＳは、複数のＲＥのセットであり、ここで、ＵＥは、送信がないと仮定してよい。したがって、ＺＰ  ＣＳＩ−ＲＳは、何も対応する複数のリソースエレメント上で実際に送信されないことを除き、ミュートされていないＣＳＩ−ＲＳと同じ構造を有する。ＺＰ  ＣＳＩ−ＲＳの１つの効用は、ＣＳＩ−ＩＭを用いる干渉測定を促進するために、他の（隣接する）複数のセルにおいて、複数のデータ送信に対応する「複数のトランスミッションホール」を生成できることである。ＺＰ  ＣＳＩ−ＲＳの他の目的は、他の（隣接する）複数のセルにおいて、実際の複数のＣＳＩ−ＲＳ送信に対応する「複数のトランスミッションホール」を生成できることである。これは、それの自身のセルにおいて複数のＣＳＩ−ＲＳ送信からの干渉なしに、端末が隣接する複数のセルのＣＳＩ−ＲＳを受信することを可能にする。したがって、複数のＺＰ  ＣＳＩ−ＲＳは、そうでなければ干渉を引き起こす複数のリソースエレメントが静かになるように、干渉する複数のセルにおいてＺＰ  ＣＳＩ−ＲＳを設定することによって、所与のセルにおけるＣＳＩ−ＲＳに対する信号対干渉及び雑音比（ＳＩＮＲ）を高めるために用いられてよい。
【００２３】
１又はいくつかのＣＳＩ−ＩＭは、複数の干渉測定の目的のために（例えば、（複数の）協同ノードからのデータ送信又はデータブランキングに対応する複数のＣＳＩに対する異なる複数の干渉測定を有するために）、ネットワークによって設定されてよい。
【００２４】
物理ダウンリンク制御チャネル（ＰＤＣＣＨ）は、複数のスケジューリング割り当て及び他の制御情報を搬送する。物理制御チャネルは、１又はいくつかの連続する制御チャネルエレメント（ＣＣＥ）のアグリゲーション上で送信され、ここで、制御チャネルエレメントは、９つのリソースエレメントグループに対応する。ＰＣＦＩＣＨ又はＰＨＩＣＨに割り当てられないリソースエレメントグループの数は、ＮＲＥＧである。システムにおいて利用可能な複数のＣＣＥは、０からＮＣＣＥ−１までの番号が付けられ、ここで、
0005984277.tif 000004
である。ＰＤＣＣＨは、表１に列挙されるような複数のフォーマットをサポートする。ｎ個の連続するＣＣＥからなるＰＤＣＣＨは、ｉ  ｍｏｄ  ｎ＝０を満たすＣＣＥでちょうど開始し、ここで、ｉはＣＣＥ番号である。複数のＰＤＣＣＨは、サブフレームにおいて送信されることができる。
【００２５】
【００２６】
【表１】
0005984277.tif 000005
【００２７】
サブフレームにおいて送信されるべき複数の制御チャネルのそれぞれの複数のビット
0005984277.tif 000006
のブロックは多重化され、ここで、
0005984277.tif 000007
は、物理ダウンリンク制御チャネル番号ｉ上で送信されるべき１つのサブフレームにおけるビットの数であり、複数のビット
0005984277.tif 000008
のブロックをもたらし、ここで、
0005984277.tif 000009
は、サブフレームにおいて送信されるＰＤＣＣＨの数である。
【００２８】
複数のビット
0005984277.tif 000010
のブロックは、変調の前にセル固有シーケンスでスクランブルされ、次式に従ってスクランブルされた複数のビット
0005984277.tif 000011
のブロックをもたらす。
【００２９】
0005984277.tif 000012
【００３０】
スクランブルシーケンスジェネレータは、各サブフレームの開始において、
0005984277.tif 000013
で初期化される。
【００３１】
ＣＣＥ番号ｎは、複数のビットｂ（７２ｎ），ｂ（７２ｎ＋１），...，ｂ（７２ｎ＋７１）に対応する。必要に応じて、複数の＜ＮＩＬ＞エレメントは、複数のＰＤＣＣＨが複数のＣＣＥ位置で開始することを保証するために、及び複数のビットのスクランブルされたブロックの長さ
0005984277.tif 000014
がＰＣＦＩＣＨ又はＰＨＩＣＨに割り当てられない複数のリソースエレメントグループの量に一致することを保証するために、スクランブルの前に複数のビットのブロックに挿入される。
【００３２】
スクランブルされた複数のビット
0005984277.tif 000015
のブロックは変調され、複数の複素数値変調シンボル
0005984277.tif 000016
のブロックをもたらす。物理ダウンリンク制御チャネルに適用可能な複数の変調マッピングは、表２に示される。
【表２】
0005984277.tif 000017
【００３３】
複数の変調シンボル
0005984277.tif 000018
のブロックは、
0005984277.tif 000019
でセクション６．３．３．１又は６．３．３．３のうちの１つに従って複数のレイヤにマッピングされ、セクション６．３．４．１又は６．３．４．３に従って先行させられ、送信に用いられる複数のアンテナポート上の複数のリソース上にマッピングされる複数のベクトル
0005984277.tif 000020
のブロックをもたらし、ここで、
0005984277.tif 000021
は、アンテナポートｐに対する信号を表す。ＰＤＣＣＨは、ＰＢＣＨと同じ複数のアンテナポートのセット上で送信される。
【００３４】
複数のリソースエレメントへのマッピングは、複数の４つ組の複素数値シンボルについての複数の動作によって定義される。例えば、
0005984277.tif 000022
は、アンテナポートｐに対するシンボルの４つ組ｉを意味する。複数の４つ組
0005984277.tif 000023
のブロックは並べ替えられ、ここで、
0005984277.tif 000024
であり、
0005984277.tif 000025
をもたらす。並べ替えは、以下の例外を含む。
【００３５】
インターリーバへの入力及び出力は、複数のビットに代えて複数のシンボルの４つ組によって定義される。
【００３６】
インターリーブは、用語「ビット」、「複数のビット」、及び「ビットシーケンス」を、それぞれ、「シンボルの４つ組」、「複数のシンボルの４つ組」、及び「シンボルの４つ組のシーケンス」に置換することによって、複数のビットに代えて複数のシンボルの４つ組について実行される。
【００３７】
インターリーバの出力での複数の＜ＮＵＬＬ＞エレメントは、
0005984277.tif 000026
を形成するときに取り除かれる。複数の＜ＮＵＬＬ＞エレメントの取り除きは、セクション６．８．２において挿入された複数の＜ＮＩＬ＞エレメントに影響しないことに留意すべきである。
【００３８】
複数の４つ組
0005984277.tif 000027
のブロックは、循環的にシフトされ、
0005984277.tif 000028
をもたらし、ここで、
0005984277.tif 000029
である。複数の４つ組
0005984277.tif 000030
のブロックのマッピングは、複数のリソースエレメントグループの観点から定義される。
【００３９】
図３は、実施形態に係るＰＤＣＣＨの送信３００を示す。３つのＰＤＣＣＨ  ＯＦＤＭシンボル３１０、３１２、３１４は、第１から第３のＯＦＤＭシンボルから送信され、ここで、ＰＤＣＣＨシンボルの数は、ＰＣＦＩＣＨ（物理制御フォーマットインジケータチャネル）によって決定されることができる。例えば、図３において、ＰＤＣＣＨ  ＯＦＤＭシンボル３１０、３１２、３１４は、スロット０  ３２０におけるＰＤＣＣＨ領域３１６に示される。スロット０  ３２０及びスロット１  ３３０は、サブフレーム１  ３４０を形成する。図３において、ＰＤＳＣＨ領域３５０は、スロット０  ３２０及びスロット１  ３３０からの複数のシンボルを用いてよいように示される。
【００４０】
ＰＤＳＣＨは、ＰＤＣＣＨにおけるＤＣＩ（ダウンリンク制御情報）によってスケジューリングされることができる。ＰＤＣＣＨの復調は、ＣＲＳ（セル固有参照信号）に基づき、ＰＤＳＣＨの復調は、ＣＲＳ又はＵＥ固有ＲＳのいずれかに基づくことができる。ＰＤＣＣＨ及びＰＤＳＣＨは、第１に、ＵＥがスケジューリング情報を得るためにＰＤＣＣＨを検出でき、後で、データ情報を得るためにＰＤＳＣＨを復調できるように、ＴＤＭ（時分割多重）の方法で送信される。周波数ダイバシティの利益を得るために、ＰＤＣＣＨは、ＣＣＥのＲＥへのマッピング手順によって帯域幅の全体に散在させられる。各セルからのＣＣＥのＲＥへのマッピングに対するＰＤＣＣＨマッピングは、セル間干渉のランダム化を提供するために、ＰＣＩ（物理セルＩＤ）に基づく。ＰＤＣＣＨ物理マッピングは、セル間干渉のランダム化ために、すなわち、回避のためにではなく、設計されるので、複数のセルからのいくつかの物理ＲＥは、互いに衝突してよい。この効果は、ＨｅｔＮｅｔ（異種ネットワーク）シナリオ、例えば、複数のマクロピコセルにおいてより厳しくなり得、したがって、ＰＤＣＣＨに対するセル間干渉協調は、ほぼ不可能である。これは、周波数領域ｅｉＣＩＣ（拡張型セル間干渉協調）を周波数依存スケジューリングを介して可能にするためのリリース１１における新しいＰＤＣＣＨ（すなわち、ｅＰＤＣＣＨ）を導入する１つの動機である。
【００４１】
図４は、実施形態に係るマクロセルのカバレッジ４００内の複数の低電力リモート無線ヘッド（ＲＲＨ）を有するネットワークを示す。ＣｏＭＰシナリオ４のような、マクロセルのカバレッジ内の複数の低電力ＲＲＨを有する異種ネットワークにおいて、複数のＲＲＨ４２０によって生成される送信／受信ポイント４１０は、マクロセル４３０と同じセルＩＤを有する。ｅＮＢ４４０は、光ファイバ４５０介して複数のＲＲＨ４２０に連結されてよい。同じ物理セルＩＤがいくつかのＲＲＨ４２０に対して用いられるので、ＣＲＳベースのＰＤＣＣＨに対する容量が問題になり得る。これは、主に、ＣＲＳが、同期又は擬似同期の方法で、複数のマクロセル４３０からだけでなく、複数のＲＲＨ４２０から送信されることに起因する。
【００４２】
図５は、実施形態に係る複数のリソースブロック５００を示す。第１のリソースブロックは、セルＡ５１０における拡張型物理ダウンリンク制御チャネル（ｅＰＤＣＣＨ）の送信に関連付けられる。第２のリソースブロックは、セルＢ５２０における物理ダウンリンク共有チャネルの送信に関連付けられる。ｅＰＤＣＣＨに関連付けられるｅＰＤＣＣＨ  ＣＣＥ及びＲＥＧは、それぞれ、ｅＣＣＥ及びｅＲＥＧと称される。
【００４３】
図６は、実施形態に係るＰＵＣＣＨリソースの使用法６００を示す。なお、第２のスロットは、ＰＵＣＣＨをホップするスロットレベルによって対称なので、第１のスロットだけが詳細に述べられる。ＰＵＣＣＨフォーマット２／２ａ／２ｂ  ６２０のための複数のＰＲＢ６１０は、上位レイヤのシグナリングによって設定されるバンドエッジのＰＲＢから
0005984277.tif 000031
６２２まで位置付けられることができる。ＰＵＣＣＨフォーマット２／２ａ／２ｂ  ６３０及びＰＵＣＣＨフォーマット１／１ａ／１ｂのためのミックスされたＰＲＢが存在し、
0005984277.tif 000032
で設定される場合、１つのＰＲＢだけが利用可能である。無線リソース制御（ＲＲＣ）６４０で半静的に設定されるＰＵＣＣＨフォーマット１／１ａ／１ｂのための複数のＰＲＢは、ミックスされたＲＢ６３０に続いて位置付けられることができる。最低ＣＣＥインデックスベースの動的リソース割り当て６５０によるＰＵＣＣＨフォーマット１ａ／１ｂのための複数のＰＲＢは、
0005984277.tif 000033
６４２から開始して存在できる。なお、ＰＵＳＣＨは、複数のスケジューリングポリシーに従って、動的ＰＵＣＣＨリソース領域において送信されることもできる。いずれのＰＲＢも、ＲＲＣによってＰＵＣＣＨフォーマット３のために位置付けられることができるが、一般的に、他の複数のＰＵＣＣＨフォーマットのような帯域の脇において送信される可能性もある。
【００４４】
ＨＡＲＱ−ＡＣＫ送信におけるＰＵＣＣＨリソース割り当てのための最も単純な方法は、複数のＵＥに対する複数のＰＵＣＣＨリソースを設定することであり得る。しかし、これは、多数のＵＥに対する多数のＰＵＣＣＨリソースによる多くのオーバヘッドをもたらし得る。例えば、いくつかのＵＥは、サブフレームＡよりむしろ他の複数のＤＬサブフレーム上にスケジューリングされることができるが、これらのＵＥのための複数のＰＵＣＣＨリソースは、サブフレームＡ上で未使用の状態において確保されるべきである。これは、ＣＣＥベースのアプローチを用いる動的リソース割り当てに対する主要な動機である。
【００４５】
説明を簡単にするために、単一のキャリアが構成される、すなわち、キャリアアグリゲーションがないと仮定される。ＦＤＤに関して、ＰＵＣＣＨフォーマット１ａ／１ｂで、ＨＡＲＱ−ＡＣＫ送信に用いられるＰＵＣＣＨリソースは、（ＰＵＣＣＨフォーマット１ａ／１ｂのためのＴｘＤが設定される場合、）アンテナポート０及び１に対して、それぞれ、
0005984277.tif 000034
及び
0005984277.tif 000035
によって決定される。言い換えれば、ＰＵＣＣＨリソースは、ＰＤＳＣＨスケジューリングの及びＳＰＳリリースの両方のために、ＰＤＣＣＨの最低ＣＣＥインデックスの関数によって決定される。複数のＵＥに対する複数のＰＤＣＣＨが排他的であるので、動的割り当てに対するＰＵＣＣＨリソースは自動的に決定される。
【００４６】
ＴＤＤに関して、Ｍ＝１でのＨＡＲＱ−ＡＣＫ多重化（ＰＵＣＣＨフォーマット１ｂベースのチャネル選択）で、ＨＡＲＱ−ＡＣＫ送信に用いられる複数のＰＵＣＣＨリソースが決定される。
【００４７】
１つの設定されたサービングセル及びＭ＝１でのサブフレームｎに対するＴＤＤ  ＨＡＲＱ−ＡＣＫバンドリング又はＴＤＤ  ＨＡＲＱ−ＡＣＫ多重化に関して、ここで、Ｍは集合Ｋにおけるエレメントの数であり、ＵＥは、ＰＵＣＣＨフォーマット１ｂに対してアンテナポートｐにマッピングされる
0005984277.tif 000036
に対するサブフレームｎにおけるＨＡＲＱ−ＡＣＫ送信に対してＰＵＣＣＨリソース
0005984277.tif 000037
を用いる。
【００４８】
対応するＰＤＣＣＨの検出によって示されたＰＤＳＣＨの送信がある、又は（複数の）サブフレームｎ−ｋ内にダウンリンクＳＰＳリリースを示すＰＤＣＣＨがある場合、ここで、ｋ∈Ｋであり、Ｋはサブフレームｎ及びＵＬ−ＤＬ設定に応じて決まるＭ個のエレメント｛ｋ０，ｋ１，...，ｋＭ−１｝の集合であり、ＵＥは、第１に、
0005984277.tif 000038
になるｃ値を｛０，１，２，３｝の中から選択し、アンテナポートｐ０に対してリソース
0005984277.tif 000039
を用い、ここで、
0005984277.tif 000040
は複数の上位レイヤによって設定され、
0005984277.tif 000041
であり、ｎＣＣＥはサブフレーム
0005984277.tif 000042
及び対応するｍにおける対応するＰＤＣＣＨの送信に用いられる第１のＣＣＥの数であり、ｋｍはＵＥがサブフレーム
0005984277.tif 000043
においてＰＤＣＣＨを検出できるような集合Ｋにおける最小値である。２つのアンテナポート送信がＰＵＣＣＨフォーマット１ａ／１ｂに対して設定されるとき、アンテナポートｐ１に対するＨＡＲＱ−ＡＣＫバンドリングのためのＰＵＣＣＨリソースは、
0005984277.tif 000044
によって与えられる。
【００４９】
図７は、実施形態に係るＴＤＤ７００におけるＰＵＣＣＨリソース（ＨＡＲＱ）に対するブロックインターリーブマッピングを示す。ＴＤＤに関して、各ＤＬサブフレームに対する複数のＰＵＣＣＨリソースは可能な限り確保され、図７に示されるように、ブロックインターリーブマッピングを適用することによって、各ＤＬサブフレームに対して確保されたリソースの数は互いに同様である。図７において、３つのＡＣＫ／ＮＡＣＫインデックス７１０、７１２、７１４が、ダウンリンクサブフレーム０  ７２０に対して示される。３つのＡＣＫ／ＮＡＣＫインデックス７３０、７３２、７３４が、ダウンリンクサブフレーム０  ７４０に対して示される。さらに、ｎのＰＣＦＩＣＨ値を有するＣＣＥの数７５０が示される。
【００５０】
したがって、ＰＵＳＣＨリソースは、バンドリングウィンドウ内で複数のＤＬサブフレームに対して効率的にスケジューリングされてよい。いずれの場合でも、ＴＤＤにおけるＨＡＲＱ−ＡＣＫに対するＰＵＣＣＨリソースも、スケジューリングＰＤＣＣＨの最低ＣＣＥインデックスの関数によって決定される。ＣＡ（キャリアアグリゲーション）におけるチャネル選択を有するＦＤＤ  ＰＵＣＣＨフォーマット１ｂ又はＣＡにおけるＭ＝１でのチャネル選択を有するＴＤＤ  ＰＵＣＣＨフォーマット１ｂは、ｎ＿ＣＣＥ＋１を用いる他の例である。
【００５１】
ＵＥは、下記に従って、ＨＡＲＱ−ＡＣＫＵに関連付けられる複数のＰＵＣＣＨリソース
0005984277.tif 000045
を決定し、ここで、
0005984277.tif 000046
である。
【００５２】
プライマリセル上のサブフレームｎ−４における対応するＰＤＣＣＨの検出によって示されるＰＤＳＣＨの送信に対して、又はプライマリセル上のサブフレームｎ−４におけるダウンリンクＳＰＳリリースを示すＰＤＣＣＨに対して、ＰＵＣＣＨリソースは
0005984277.tif 000047
であり、ここで、ｎＣＣＥは対応するＰＤＣＣＨの送信に用いられる第１のＣＣＥの数であり、
0005984277.tif 000048
は、複数の上位レイヤによって設定される。
【００５３】
サブフレームｎ−４において検出された対応するＰＤＣＣＨがないプライマリセル上のＰＤＳＣＨの送信に対して、
0005984277.tif 000049
の値が上位レイヤの設定に従って決定される。２つまでのトランスポートブロックをサポートするｊ伝送モードに関して、ＰＵＣＣＨリソース
0005984277.tif 000050
は、セカンダリセル上のサブフレームｎ−４における対応するＰＤＣＣＨの検出によって示されるＰＤＳＣＨの送信に対して
0005984277.tif 000051
によって与えられ、２つまでのトランスポートブロックをサポートする伝送モードに対する
0005984277.tif 000052
の値及び
0005984277.tif 000053
の値は、上位レイヤの設定に従って決定される。対応するＰＤＣＣＨのＤＣＩフォーマットにおけるＴＰＣフィールドは、マッピングすることで、複数の上位レイヤによって設定される４つのリソース値のうちの１つから複数のＰＵＣＣＨリソース値を決定するために用いられる。２つまでのトランスポートブロックをサポートする伝送モードに対して設定されたＵＥに対して、ＰＵＣＣＨリソース値は、２つのＰＵＣＣＨリソース
0005984277.tif 000054
にマッピングし、そうでなければ、ＰＵＣＣＨリソース値は、単一のＰＵＣＣＨリソース
0005984277.tif 000055
にマッピングする。
【００５４】
実施形態に従って、ｅＰＤＣＣＨに対するｅＣＣＥベースの黙示的なリソース割り当ては、レガシーＣＣＥベースの黙示的なリソース割り当てと共存しながら実現されてよい。
【００５５】
ＰＵＣＣＨ送信ダイバシティによって設定されるＦＤＤ  ＵＥに対して、アンテナポート０及び１に対する複数のリソースは、それぞれ、
0005984277.tif 000056
及び
0005984277.tif 000057
によって決定される。ＰＵＣＣＨ送信ダイバシティによって設定されるＴＤＤ  ＵＥに対して、Ｍ＝１でのチャネル選択（ＨＡＲＱ−ＡＣＫ多重化）に関しては、第２のアンテナポートに対する第２のリソースは、「＋１」の手段によって決定されることができる。つまり、アンテナポート０及び１に対する複数のリソースは、それぞれ、
0005984277.tif 000058
及び
0005984277.tif 000059
によって決定される。
【００５６】
ｅＰＤＣＣＨの動的リソース割り当てのための最も単純な方法は、複数の同じ原理を共有する同じＣＣＥベースの原理に従うことである。つまり、
0005984277.tif 000060
及び
0005984277.tif 000061
であり、ここで、ｎｅＣＣＥはｅＰＤＣＣＨの最低ＣＣＥインデックスである。しかし、レガシーＰＤＣＣＨによってスケジューリングされるＵＥ＃０及びｅＰＤＣＣＨによってスケジューリングされるＵＥ＃１が同じ最低ＣＣＥ／ｅＣＣＥインデックスを有する場合、結果として生じる複数のＰＵＣＣＨリソースインデックスも同じになる。
【００５７】
図８は、レガシーＰＤＣＣＨ及びｅＰＤＣＣＨに起因するＰＵＣＣＨリソース衝突８００の例を示す。図８に示されるように、複数のＣＣＥ又はｅＣＣＥインデックス８１０が示される。複数のインデックス＃ｍ＋２  ８２０及び＃ｍ＋３  ８２２は、ＵＥ＃０  ８３０のためのアグリゲーションレベル２のＰＤＣＣＨに関連付けられる。しかし、複数のインデックス＃ｍ＋２  ８２０及び＃ｍ＋３  ８２２は、ＵＥ＃１  ８４０のためのアグリゲーションレベル２のＰＤＣＣＨにも関連付けられる。したがって、２つのＵＥ、例えば、ＵＥ＃０  ８３０及びＵＥ＃１  ８４０は、同じ最低ＣＣＥ（ｅＣＣＥ）インデックスを有し、複数の同じＰＵＣＣＨリソースの使用をもたらす。この問題は、誘導する複数のＰＵＣＣＨリソースにオフセット値を導入することによって解決されることができる。オフセット値をｎｏｆｆｓｅｔと示すと、ｅＰＤＣＣＨに起因するＨＡＲＱ−ＡＣＫに対するＰＵＣＣＨリソースは、以下のように決定されることができる。
【００５８】
ＦＤＤに関しては次のようになる。
【００５９】
アンテナポート０に対して：
0005984277.tif 000062
【００６０】
アンテナポート１に対して：
0005984277.tif 000063
【００６１】
【００６２】
ＴＤＤに関しては次のようになる。
【００６３】
アンテナポート０に対して：
0005984277.tif 000064
【００６４】
アンテナポート１に対して：
0005984277.tif 000065
【００６５】
オフセット値ｎｏｆｆｓｅｔは、ＤＣＩを介して与えられることができる。それはｘビットであり得、当然に、より多いｘビットは、複数の衝突を回避するためのより高い自由度を提供できる。代わりに、オフセット値ｎｏｆｆｓｅｔは、アンテナポートｐに関連付けられるアンテナ固有オフセットであり得、ここで、ｐは、対応するｅＰＤＣＣＨの第１のＣＣＥに割り当てられるアンテナポートである。分散型ｅＰＤＣＣＨに関して、ｋｐ＝０、ｐ＝１０７，１０９であり、局在型ｅＰＤＣＣＨに関して、ｋｐ＝ｐ−１０７、ｐ∈｛１０７，１０８，１０９，１１０｝である。この場合において、それは
0005984277.tif 000066
であり得る（ここで、ｍは整数）。ｍ＝１である場合、
0005984277.tif 000067
である。アンテナ固有オフセットを伴う他の表現は、以下のようになる。
【００６６】
ＦＤＤに関しては次のようになる。
【００６７】
アンテナポート０に対して：
0005984277.tif 000068
【００６８】
アンテナポート１に対して：
0005984277.tif 000069
【００６９】
【００７０】
ＴＤＤに関しては次のようになる。
【００７１】
アンテナポート０に対して：
0005984277.tif 000070
【００７２】
アンテナポート１に対して：
0005984277.tif 000071
【００７３】
ｋｐは、アンテナポートｐに関連付けられるアンテナ固有オフセットであり得、ここで、ｐは、対応するｅＰＤＣＣＨの第１のＣＣＥに割り当てられるアンテナポートである。分散型ｅＰＤＣＣＨに関して、ｋｐ＝０、ｐ＝１０７，１０９であり、局在型ｅＰＤＣＣＨに関して、ｋｐ＝２・（ｐ−１０７）、ｐ∈｛１０７，１０８，１０９，１１０｝である。
【００７４】
動的リソース割り当てに対する開始オフセットを示す新しいＲＲＣ設定
0005984277.tif 000072
も導入されることができることに留意すべきである。この場合において、この値は、上記の複数の方程式における
0005984277.tif 000073
を置き換えられる。
【００７５】
言い換えると、ＳＯＲＴＤに対する２つのＰＵＣＣＨリソースは、２つの連続するＰＵＣＣＨリソースによって決定され、最初のものは、最低ＣＣＥインデックスによって決定される。ＳＯＲＴＤ（空間直交リソース送信ダイバシティ；ＰＵＣＣＨ送信ダイバシティ）ともにスケジューリングの影響を考慮すると、スケジューラが衝突を回避するために２つのアンテナポートに対する２つのリソースを考慮できるように、複数の偶数（例えば、−４，−２，０，２，４，...）のような複数のオフセット値を定義することが望ましい。例えば、図８において、ｎｏｆｆｓｅｔ＝−１である場合、ｅＰＤＣＣＨに対応するＵＥ＃１の第２のアンテナポートに対するリソースは、レガシーＰＤＣＣＨに対応するＵＥ＃０の第１のアンテナポートに対するリソースと衝突している。さらに、レガシーのものと同じ方程式をｅＰＤＣＣＨに対して作る将来のマイグレーションを考慮すると、オフセット値に対して「０」を含むことも望ましい。
【００７６】
例えば、ＤＣＩにおけるオフセット値に対するビットフィールドの数が２であると仮定すると、可能な複数のオフセット値は、次のように提供されることができる（「０」が含まれるべきであると仮定）。
【表３】
0005984277.tif 000074
【００７７】
ビット表現とｎｏｆｆｓｅｔとの間の異なるマッピングも可能であることに留意すべきである。
【表４】
0005984277.tif 000075
【表５】
0005984277.tif 000076
【００７８】
オフセットのマイナスの値は、前の複数のＰＤＣＣＨに対するアグリゲーションレベルが大きい場合、有益であることに留意すべきである。例えば、アグリゲーションレベルが前の複数のＰＤＣＣＨに対して８であるとき、その後、ｎ＿ＣＣＥ＋２、ｎ＿ＣＣＥ＋３、ｎ＿ＣＣＥ＋４、ｎ＿ＣＣＥ＋５、ｎ＿ＣＣＥ＋６、ｎ＿ＣＣＥ＋７に対応する複数のＰＵＣＣＨリソースは、自動的に確保される。
【００７９】
図８において、典型的な複数のインデックスは、最低インデックス＃ｍ、及びそれから順に増加する複数のインデックス＃ｍ＋１、＃ｍ＋２...＃ｍ＋７を含む。上述のように、ＰＤＣＣＨの送信の最低ＣＣＥインデックスは、ｅＰＤＣＣＨの送信の最低ｅＣＣＥインデックスと同じであってよい。例えば、最低ＣＣＥインデックス及び最低ｅＣＣＥインデックスは、同じでよく、例えば、両方ともインデックス＃ｍ＋２を用いる。第１のＵＥのＰＵＣＣＨ及び第２のＵＥの複数のｅＰＤＣＣＨの送信がＣＣＥ／ｅＣＣＥインデックス＃ｍ＋２を用いてスケジューリングされた場合、複数のＰＵＣＣＨの複数の送信は、複数の同じＰＵＣＣＨリソースインデックスを用いることに起因して対立してよい。
【００８０】
しかし、オフセット値がｅＣＣＥを用いる複数のアップリンクリソース動的リソース割り当てに用いられる場合、対立している送信は避けられてよい。いくつかの実施形態において、複数のオフセット値は、ネットワークの無線リソース制御（ＲＲＣ）エンティティによって設定されてよい。しかし、他の複数の実施形態において、他の複数のエンティティは、複数のオフセット値を設定してよい。
【表６】
0005984277.tif 000077
【表７】
0005984277.tif 000078
【００８１】
他の実施形態において、複数のＵＥのほとんどがＳＯＲＴＤによって設定されない場合、オフセット距離１は、より効率的になり得る。この場合において、予め定められたｘ個の集合は、ネットワークが使用を望むとき、ＲＲＣによって設定されることができる。ｘ＝２の例に対して、２つの集合は次のように決定されてよい。
【００８２】
集合Ａ：｛−２，−１，０，１｝
【００８３】
集合Ｂ：｛−４，−２，０，２｝
【００８４】
ネットワークは、複数のＵＥに対するＳＯＲＴＤの使用に応じて、上記２つの集合のうちの１つを設定できる。代わりに、基底集合を｛−２，−１，０，１}として、スケーリングファクタは、ｅＮＢによって設定されることができる。例えば、ｅＮＢが２のスケーリングファクタを設定すると、その後、用いられる集合は、｛−４，−２，０，２｝（＝２＊｛−２，−１，０，１｝）になる。１つのビット表現に対する他の複数の例は、次のように考慮されることができる。
【表８】
0005984277.tif 000079
【表９】
0005984277.tif 000080
【００８５】
オフセットに対する複数のＤＣＩビットは、他のＤＣＩ上にいくつかのビットを加えること、又はＴＰＣ／ＣＩＦなどのような既存のフィールドを再利用することによって定義されることができる。偶数及び奇数のハイブリッドのように、下記の他の複数の例があり得る。
【表１０】
0005984277.tif 000081
【表１１】
0005984277.tif 000082
【表１２】
0005984277.tif 000083
【００８６】
ｅＰＤＣＣＨがＰＣｅｌｌであり得るスタンドアロンＮＣＴ（新たなキャリアタイプ）において用いられる場合、下記の複数の方法のうちの１つが用いられることができる。オフセットフィールドは、ＤＬ  ＭＵ−ＭＩＭＯ又はＣｏＭＰのような可能な将来の拡張を考慮して、維持されることができる。オフセットフィールドは、それを維持する必要がない、すなわち、オフセットが０であってよいので、取り除かれることができる。オフセットフィールドは維持されてもよいが、値は０のような予め定められた値にセットされてよい。この予め定められた値は、仮想ＣＲＣとして用いられることができる。
【００８７】
対応するｅＰＤＣＣＨの最低ｅＣＣＥインデックスは、ＰＵＣＣＨリソースの決定のコンポーネントである。ＵＥは、各ｅＰＤＣＣＨセットに対する半静的ＰＵＣＣＨリソースの開始オフセットで設定される。ｅＣＣＥは、ｅＰＤＣＣＨセット毎にインデックスが付けられる。ｅＰＤＣＣＨによって動的にシグナリングされたＰＵＣＣＨリソースオフセットは、用いられてよく、又は用いられなくてよい。オプションＡ及びＢのいずれが選択されるとしても、ＲＲＣシグナリングは導入されない。
【００８８】
局在型ｅＰＤＣＣＨに関して、アンテナポートインデックスは、用いられなくてよい。代わりに、ｅＰＤＣＣＨのアンテナポートインデックスは、用いられてよい。さらに、ＰＤＳＣＨのアンテナポートインデックスは、用いられてよい。
【００８９】
本質的に、最低ｅＣＣＥベースのリソース割り当てでのＰＵＣＣＨリソース衝突の３つのケースがある。第１のケースは、複数の同じ最低ｅＣＣＥインデックスを有するＭＵ−ＭＩＭＯのための異なる複数のＵＥの間の衝突を伴う。第２のケースは、複数の同じ最低ｅＣＣＥインデックスを有する異なる複数のｅＰＤＣＣＨセットでの異なる複数のＵＥの間の衝突を伴う。第３のケースは、複数の同じ最低ｅＣＣＥインデックスを有するレガシーＰＤＣＣＨ及びｅＰＤＣＣＨによる異なる複数のＵＥの間の衝突を伴う。
【００９０】
第２のケースは、グローバルｅＣＣＥインデックスよりむしろ、ローカルｅＣＣＥインデックスが用いられるという事実からもたらされる。したがって、複数のＰＵＣＣＨリソースは、各ｅＰＤＣＣＨセットに対する複数のＵＥ固有ＰＵＣＣＨ開始オフセット値次第で衝突し得る。ｅＰＤＣＣＨに対するＰＵＣＣＨリソースの開始点が、レガシーＰＤＣＣＨによってＰＵＣＣＨリソースから直交分離される必要があるので、ＵＥ固有開始オフセットは、第３のケースを解決しないかもしれない。スケジューリングの制約が用いられ、それがＵＥに対する限定されたＵＥのサーチスペースに起因するレガシーＰＤＣＣＨ及びｅＰＤＣＣＨに対するブロッキングの可能性を増加する、又はそれが大きな数のＵＥ固有開始オフセットパラメータを必要とするので、衝突を解決するために複数のＵＥ固有パラメータに頼ることはよいアプローチではないかもしれない。
【００９１】
これらの潜在的なリソース衝突の問題は、以下のように対処される。１つの方法は、ＰＤＣＣＨによって動的にシグナリングされるＡＲＩ（Ａ／Ｎリソースインジケータ）オフセットを用いて衝突を回避することである。第２の方法は、ＤＭ  ＲＳに対するＡＰ（アンテナポート）オフセットを用いて衝突を回避することである。
【００９２】
ＡＲＩベースの解決策は、局在型及び分散型ｅＰＤＣＣＨの送信の両方に関して、ＤＣＩからのオフセット値を動的に制御することによって、上記の衝突問題に対処できる。しかし、それは、オフセット値を示すために、ＤＣＩにおける少なくとも追加の２つのビットフィールドを要求する。
【００９３】
一方、ＡＰベースの解決策は、局在型ｅＰＤＣＣＨの送信においてのみ第１のケースに対処できる。分散型ｅＰＤＣＣＨの送信において、ＡＰベースの解決策は、適用可能でないかもしれない。ｅＰＤＣＣＨセット毎のＵＥ固有開始オフセットの複数の適切な値及び適切なスケジューリング制約は、第２及び第３のケースを解決するために用いられる。
【００９４】
しかし、前述のように、大量のＰＵＣＣＨリソースが直交区別されない限り、それは、ブロッキングの可能性を引き起こし得、グローバルｅＣＣＥインデックス定義に最終的に収束する。
【００９５】
ＰＵＣＣＨフォーマット１ａ／１ｂＴｘＤ（ＳＯＲＴＤ）に対する、及びＦＤＤキャリアアグリゲーションのチャネル選択を伴うＰＵＣＣＨフォーマット１ｂに対する既存のリソース割り当てを考慮すると、他の問題がある。ＰＵＣＣＨフォーマット１ａ／１ｂＴｘＤに関して、第２のアンテナポートに対するＰＵＣＣＨリソース
0005984277.tif 000084
は、最低ｅＣＣＥインデックス、すなわちｎｅＣＣＥに、次のＰＵＣＣＨリソースによって決定される。ＦＤＤ  ＣＡのチャネル選択を伴うＰＵＣＣＨフォーマット１ｂに関して、プライマリセルがＭＩＭＯによって設定される、又はセカンダリセルがクロスキャリアスケジューリング及びＭＩＭＯの両方によって設定されるとき、追加のＰＵＣＣＨリソース
0005984277.tif 000085
も、最低ＣＣＥインデックス、すなわちｎｅＣＣＥに、次のＰＵＣＣＨリソースによって決定される。したがって、ＡＲＩベース及びＡＰベースの両方の解決策のための複数のオフセット値が、この態様を考慮する偶数のオフセット値である必要がある。例えば、ＡＲＩベースの解決策に関して、複数のＡＲＩ値は、｛−２，０，２，４｝であり得る。ＡＰベースの解決策に関して、結果として得られるＰＵＣＣＨリソースは、
0005984277.tif 000086
であり得、ここで、ｆ（ｎｅＣＣＥ）はｎｅＣＣＥの関数であり、ＡＰは、０、１、２、及び３であり得る。
【００９６】
ＡＲＩベースの解決策に対する１つの主な懸案事項は、それが、オフセット値を示すためのＤＣＩにおける追加の２つのビットを必要とすることである。ＡＲＩベースの解決策の最も有益なユースケースは、レガシーＰＤＣＣＨとｅＰＤＣＣＨとの間のＰＵＣＣＨリソース衝突を回避するためであり得る。一方で、ＡＰベースの解決策は、ｅＰＤＣＣＨセット毎のＵＥ固有開始オフセットの適切な値及び適切なスケジューリング制約を伴うケース１及びケース２の複数の問題に対処できる。
【００９７】
したがって、以下の解決策が用いられる複数のシナリオに応じて用いられることができる。第１のアプローチは、後方互換性キャリアに用いられるＡＲＩベースの解決策を含む。ＡＰベースの解決策は、ＮＣＴ（新たなキャリアタイプ）のような非後方互換性キャリアに用いられる。後方互換性キャリアに関して、
0005984277.tif 000087
である。ＮＣＴに関して、
0005984277.tif 000088
又は
0005984277.tif 000089
である。
【００９８】
第２のアプローチは、後方互換性キャリア及びＡＰベースの非後方互換性キャリアのためのＡＲＩ及びＡＰベースの解決策のハイブリッドを含む。後方互換性キャリアに関して、
0005984277.tif 000090
である。ＮＣＴに関して、
0005984277.tif 000091
であり、ここで、ｎｅＣＣＥ，ｍは、ｅＰＤＣＣＨセットｍ（ｍ＝０，１，...，Ｍ−１、Ｍは、ＵＥへのｅＰＤＣＣＨセットの数である。）でＵＥへの検出されたｅＰＤＣＣＨに対する最低ｅＣＣＥインデックスであり、
0005984277.tif 000092
は、複数の検出されたｅＰＤＣＣＨセットｍに対するＵＥ固有ＰＵＣＣＨリソース開始オフセットである。
【００９９】
ここで、ＮＣＴは、スタンドアロンキャリア又はプライマリセルに用いられることができる。オプション１又はオプション２のいずれかを採用することによって、ＡＲＩベースの解決策によるＤＣＩにおける追加の２つのビットの懸案事項は、ＮＣＴにおいてＡＲＩベースの解決策を取り除くことによって対処されることができ、それは、レガシー及び複数の新たなキャリアタイプの両方に対する衝突の問題を完全に解決できる。
【０１００】
これまでの議論に基づいて、それは万能の解決策であるので、私たちは、衝突の問題を解決するためにＡＲＩベースの解決策を採用することを提案する。ｆ（ｎｅＣＣＥ）の関数に関して、私たちは、ｆ（ｎｅＣＣＥ）＝ｎｅＣＣＥ以外の異なる形をもつ強い理由が見えない。
【０１０１】
複数の実施形態がここで以下に提示される。第１の実施形態によれば、ＡＲＩベースのオフセットは、ＤＣＩによって２つのビットで動的に示されることによって、局在型及び分散型ｅＰＤＣＣＨの送信の両方に対してＰＵＣＣＨリソース割り当てに採用される。ＦＤＤに関して、
0005984277.tif 000093
であり、ここで、ｎｅＣＣＥ，ｓは複数のｅＰＤＣＣＨセットにおいて検出される最低ｅＣＣＥインデックスであり、
0005984277.tif 000094
は、ＲＲＣシグナリングによって設定される複数のｅＰＤＣＣＨセットに対するＵＥ固有開始オフセットである。ＡＲＩは、検出されたｅＰＤＣＣＨによって示されるオフセット値であり、値｛−２，０，２，４｝のうちの１つである。
【０１０２】
ＴＤＤに関して、現在のリソース割り当ては、ＰＵＣＣＨリソースの圧縮を適用せず、すなわち、ＰＵＣＣＨリソース領域は、バンドリングウィンドウ内に各ＤＬサブフレームに対して確保され、ブロックインターリーブが、制御フォーマットインジケータ（ＣＦＩ）毎に適用される。ＴＤＤに対する現在のＰＵＣＣＨリソース割り当ては、全体の帯域幅を占有するレガシーＰＤＣＣＨに対するＤＬ  ＯＦＤＭシンボル毎にＣＣＥの数を考慮したので、正確に同じ方程式の再利用は適切でないように思われる。もし、ｅＣＣＥインデックスが局在型及び分散型ｅＰＤＣＣＨの送信の両方に対する各ｅＰＤＣＣＨセット毎であれば、ＣＦＩレベルのブロックインターリーブは省略されることができる。
【０１０３】
したがって、ＴＤＤに対してＰＵＣＣＨリソース割り当てのための実施形態は以下のとおりである。１つの設定されたサービングセル及びＭ＝１のサブフレームｎに対するＴＤＤ  ＨＡＲＱ−ＡＣＫバンドリング又はＴＤＤ  ＨＡＲＱ−ＡＣＫ多重化に関して、ここで、Ｍは集合Ｋにおけるエレメントの数であり、ＵＥは、ＰＵＣＣＨフォーマット１ａ／１ｂに対するアンテナポートｐにマッピングされる
0005984277.tif 000095
に対するサブフレームｎにおけるＨＡＲＱ−ＡＣＫ送信に対してＰＵＣＣＨリソース
0005984277.tif 000096
を用いる。
【０１０４】
（複数の）サブフレームｎ−ｋ内に、対応するＰＤＣＣＨ／ｅＰＤＣＣＨの検出によって示されるＰＤＳＣＨの送信がある、又はダウンリンクＳＰＳリリースを示すＰＤＣＣＨ／ｅＰＤＣＣＨがある場合であって、ここで、ｋ∈Ｋであり、Ｋはサブフレームｎ及びＵＬ／ＤＬ構成に応じたＭ個のエレメント｛ｋ０，ｋ１，...，ｋＭ−１｝の集合である場合、かつ、ＰＤＳＣＨの送信又はダウンリンクＳＰＳリリースを示すｅＰＤＣＣＨが、サブフレームｎ−ｋｍにおいて検出される場合であって、ここで、ｋｍが、ＵＥが（複数の）サブフレームｎ−ｋ内にＰＤＳＣＨの送信又はダウンリンクＳＰＳリリースを示すＰＤＣＣＨ／ｅＰＤＣＣＨを検出できる集合ｋにおける最小値であり、ｋ∈Ｋである場合、ＵＥは、次を用いることができる。○ｅＰＤＣＣＨ−ＰＲＢセットｑが分散型送信に対して設定される場合：
0005984277.tif 000097
○ｅＰＤＣＣＨ−ＰＲＢセットｑが局在型送信に対して設定される場合：
0005984277.tif 000098
アンテナポートｐ０に関して、ここで、ｎｅＣＣＥ，ｑは、サブフレームｎ−ｋｍ及び対応するｍにおけるｅＰＤＣＣＨ−ＰＲＢセットｑにおいて対応するＤＣＩ割り当ての送信に用いられる第１のｅＣＣＥ（すなわち、ｅＰＤＣＣＨ構築するために用いられる最低ｅＣＣＥインデックス）の数であり、ｅＰＤＣＣＨ−ＰＲＢセットｑに対する
0005984277.tif 000099
は、上位レイヤパラメータ、例えば、ｐｕｃｃｈ−ＲｅｓｏｕｒｃｅＳｔａｒｔＯｆｆｓｅｔ−ｒ１１、サブフレームｎ−ｋｍにおけるｅＰＤＣＣＨ−ＰＲＢセットｑに対する
0005984277.tif 000100
によって設定され、ｎ'は、サブフレームｎ−ｋｍにおいてｅＰＤＣＣＨの送信に用いられるアンテナポートから決定される。ｍ＝０である場合、ΔＡＲＯは、対応するｅＰＤＣＣＨのＤＣＩフォーマットにおけるＨＡＲＱ−ＡＣＫリソースオフセットフィールドから決定される。ｍ＞０である場合、ΔＡＲＯは、対応するｅＰＤＣＣＨのＤＣＩフォーマットにおけるＨＡＲＱ−ＡＣＫリソースオフセットフィールドから決定される。ＵＥがサブフレームｎ−ｋｉｌにおいてｅＰＤＣＣＨを監視するように構成される場合、
0005984277.tif 000101
は、サブフレームｎ−ｋｉｌにおいてそのＵＥに対して設定されるｅＰＤＣＣＨ−ＰＲＢセットｑにおけるｅＣＣＥの数に等しい。ＵＥがサブフレームｎ−ｋｉｌにおいてｅＰＤＣＣＨを監視するように構成されない場合、
0005984277.tif 000102
は、サブフレームｎ−ｋｉｌにおいてそのＵＥに対して設定されるｅＰＤＣＣＨ−ＰＲＢセットｑを仮定して計算されるｅＣＣＥの数に等しい。通常のダウンリンクＣＰに関して、サブフレームｎ−ｋｉｌがスペシャルサブフレーム設定０又は５を有するスペシャルサブフレームである場合、
0005984277.tif 000103
は０に等しい。拡張型のダウンリンクＣＰに関して、サブフレームｎ−ｋｉｌがスペシャルサブフレーム設定０又は４又は７を有するスペシャルサブフレームである場合、
0005984277.tif 000104
は０に等しい。２つのアンテナポート送信がＰＵＣＣＨフォーマット１ａ／１ｂに対して設定されるとき、アンテナポートｐ１に対するＨＡＲＱ−ＡＣＫバンドリングに対するＰＵＣＣＨリソースは、次式によって与えられる。○ｅＰＤＣＣＨ−ＰＲＢセットｑが分散型送信に対して設定される場合：
0005984277.tif 000105
○ｅＰＤＣＣＨ−ＰＲＢセットが局在型送信に対して設定される場合：
0005984277.tif 000106
【０１０５】
ＵＬ−ＣｏＭＰに対するＰＵＣＣＨリソース割り当ては、ＰＵＣＣＨ  ＶＣＩＤで設定されるＵＥのＰＤＣＣＨトリガ動的Ａ／Ｎリソースに対するＰＵＣＣＨリソース割り当てにおける
0005984277.tif 000107
の代わりにするために、ＵＥ固有の
0005984277.tif 000108
を設定する上位レイヤを含む。ＵＥ固有の
0005984277.tif 000109
は、対応する仮想セルＩＤに対して、及び場合によっては、ＰＵＣＣＨ上のｅｉＣＩＣに対して、協調セルにおけるＵＥとの衝突を回避するために、複数のセルの間でＣｏＭＰ  ＵＥによって用いられてよい。
【０１０６】
第３の実施形態によれば、ｅＰＤＣＣＨがＵＥに対するサブフレームにおいて用いられ、
0005984277.tif 000110
がＵＥに対して設定されるとき、ＵＥは、ＰＵＣＣＨリソース割り当てに対して
0005984277.tif 000111
を用いない。他の解決策として、パラメータ
0005984277.tif 000112
は、ｅＰＤＣＣＨパラメータとともに用いられることができる。例えば、ＦＤＤに関して、それは、
0005984277.tif 000113
であり得る。
【０１０７】
ＰＵＣＣＨフォーマット３に関して、リリース１０におけるＰＵＣＣＨリソース割り当てでは、ＳＣｅｌｌ−ＴＰＣが４つの設定されたリソースの中の用いられるＰＵＣＣＨリソースを示すために用いられる。ＰＣｅｌｌ−ＴＰＣは、インジケータとして用いられないが、それは、現実のＴＰＣとして用いられる。ＵＥは、複数のＳＣｅｌｌ−ＴＰＣの値が同じであると仮定する。ＵＥが（ＦＤＤに関して）プライマリセル上だけで単一のＰＤＳＣＨを受信するとき、ＰＵＣＣＨフォーマット１ａ／１ｂが用いられる。このＰＣｅｌｌフォールバックは、再構成処理に用いられることもできる。しかし、追加の２つのビットがｅＰＤＣＣＨにおいてＡＲＩに用いられるので、このＡＲＩは、ＰＵＣＣＨフォーマット３のリソースを示すために用いられることもできる。
【０１０８】
他の実施形態によれば、ｅＰＤＣＣＨがＵＥに対するサブフレームにおいて用いられ、ＰＵＣＣＨフォーマット３がＵＥに対して設定されるとき、ＡＲＩオフセット値は、ＰＵＣＣＨフォーマット３に対する４つの設定されたリソースの中の用いられるＰＵＣＣＨリソースを示すために用いられる。
【０１０９】
代わりに、ＦＤＤ  ＰＵＣＣＨフォーマット３に関して、ＰＵＣＣＨリソース割り当ては、４つの設定されたリソース値の中の実際の用いられたＰＵＣＣＨフォーマット３のリソースを示すためにＳＣｅｌｌ−ＴＰＣを用いることを含む。ＰＣｅｌｌ−ＴＰＣは、インジケータとして用いられないが、それは、現実のＴＰＣとして用いられる。ＵＥは、同じＨＡＲＱ−ＡＣＫ  ＰＵＣＣＨリソース値が、所与のサブフレームにおける対応するセカンダリセルの複数のＰＤＣＣＨ割り当ての各ＤＣＩフォーマットにおいて送信されると仮定する。ＵＥがプライマリセル上だけで単一のＰＤＳＣＨ又はＳＰＳリリースを受信するとき、動的リソース割り当てを伴うＰＵＣＣＨフォーマット１ａ／１ｂが用いられてよい。ｅＰＤＣＣＨを有するＵＥに対するフォールバックを促進するために、少なくともＰＣｅｌｌ上のＰＤＳＣＨ又はＳＰＳリリースに対して、対応するｅＰＤＣＣＨは、ＡＲＩ値を用いてよい。ＳＣｅｌｌ上のＰＤＳＣＨに対して、ＳＣｅｌｌ−ＴＰＣが、ＰＵＣＣＨフォーマット３のリソース割り当てに対して利用可能なので、ＡＲＩはＳＣｅｌｌ上に含まれなくてよい。
【０１１０】
ＴＤＤ  ＰＵＣＣＨフォーマット３に関して、ＰＵＣＣＨリソース割り当ては、４つの設定されたリソース値の中の実際の用いられるＰＵＣＣＨフォーマット３のリソースを示すために、ＰＣｅｌｌ上のＤＡＩ＝１のサブフレームにおいて以外、複数のＴＰＣの使用を含む。ＤＡＩ＝１のＴＰＣは、インジケータとして用いられないが、それは、現実のＴＰＣとして用いられる。ＰＣｅｌｌ上の他の複数のＴＰＣが用いられるＰＵＣＣＨフォーマット３のリソースを示すために用いられるので、バンドリングウィンドウ内の累積ＰＵＣＣＨ電力制御が可能でない。ＵＥは、同じＨＡＲＱ−ＡＣＫ  ＰＵＣＣＨリソース値が、（複数の）サブフレームｎ−ｋ内のＰＵＣＣＨリソース値を決定するために用いられる、各セカンダリセルにおいて及びプライマリセルにおいて、複数のＰＤＣＣＨ割り当て上で送信されると仮定し、ここで、ｋ∈Ｋである。
【０１１１】
ＵＥが、ＤＡＩ＝１を有するＰＤＣＣＨだけを伴うプライマリセル上で単一のＰＤＳＣＨ又はＳＰＳリリースを受信するとき、動的リソース割り当てを伴うＰＵＣＣＨフォーマット１ａ／１ｂが用いられる。ＵＥが、プライマリセル上だけでＤＡＩ＝１又はＳＰＳ−ＰＤＳＣＨを有するＰＤＣＣＨを有する単一のＰＤＳＣＨを受信するとき、チャネル選択を伴うＰＵＣＣＨフォーマット１ｂが用いられ、ＰＤＣＣＨを有するＰＤＳＣＨに対する動的リソース割り当てが用いられる。ｅＰＤＣＣＨを有するＵＥに対するフォールバックを促進するために、少なくともＰＣｅｌｌ上のＤＡＩ＝１のＰＤＣＣＨを有するＰＤＳＣＨ又はＳＰＳリリースに対してＡＲＩ値を含むことが必要である。しかし、ＵＥは、ｅＰＤＣＣＨのデコーディングの前にＤＡＩ値を知らないので、ＡＲＩは、プライマリセル上の他の複数のＤＡＩ値に対して含まれることも必要である。この場合において、ＰＣｅｌｌ上のＴＰＣ値は、累積ＰＵＣＣＨ電力制御に用いられることができる。ＳＣｅｌｌ上のＰＤＳＣＨに関して、ＳＣｅｌｌ−ＴＰＣがＰＵＣＣＨフォーマット３のリソース割り当てに用いられるので、ＳＣｅｌｌに対してＡＲＩを含む必要がない。しかし、ＳＣｅｌｌは、ＡＲＩに対する２つのゼロビットをさらに提供してもよい。
【０１１２】
チャネル選択を伴うＰＵＣＣＨフォーマット１ｂに関して、動的リソース割り当て、すなわち、最低ｅＣＣＥインデックスによって決定される黙示的なリソース割り当てが、プライマリセル上で送信される複数のＰＤＣＣＨに対して用いられる（クロスキャリアスケジューリングを含む）。したがって、ＡＲＩフィールドは、プライマリセル上で送信されるｅＰＤＣＣＨに対して含まれることを必要とする。他の場合に関して、（ＰＵＣＣＨフォーマット３と同様に）ＡＲＩは用いられない。
【０１１３】
他の実施形態において、ｅＰＤＣＣＨがＵＥに対するサブフレームにおいて用いられ、ＣＡ（キャリアアグリゲーション）におけるチャネル選択を伴うＰＵＣＣＨフォーマット３又はＰＵＣＣＨフォーマット１ｂがＵＥに対して設定されるとき、ＡＲＩオフセット値は、プライマリセル上で送信される複数のｅＰＤＣＣＨに対してのみに含まれる。
【０１１４】
ＴＤＤに関して、ＵＥは、通常のＣＰにおけるスペシャルサブフレーム設定０又は５、又は拡張型のＣＰにおけるスペシャルサブフレーム設定０、４又は７を有するスペシャルサブフレームにおいてｅＰＤＣＣＨを受信することを期待されない。また、ＵＥがｅＰＤＣＣＨ  ＵＳＳを監視する複数のサブフレームは、上位レイヤのシグナリングによって設定される。したがって、バンドリングウィンドウ内で、ｅＰＤＣＣＨは、いくつかのＤＬサブフレームで送信されることができ、レガシーＰＤＣＣＨは、バンドリングウィンドウにおける他の複数のＤＬサブフレームで送信されることができる。この場合において、黙示的なリソース割り当ての方法は、サブフレーム毎にミックスされる。例えば、ｅＰＤＣＣＨに対するＤＬサブフレームにおいて、ＵＥは、ＵＥ固有開始オフセット
0005984277.tif 000114
を用い、レガシーＰＤＣＣＨに対する他の複数のＤＬサブフレームにおいて、ＵＥは、セル固有開始オフセット
0005984277.tif 000115
を用いる。また、ｅＰＤＣＣＨを有するＴＤＤ  ＰＵＣＣＨリソース割り当てに対する決定に応じて、特別な処理がこの場合を処理するために用いられてよい。したがって、簡単にするために、同じタイプのダウンリンク制御チャネルが、ＴＤＤにおけるバンドリングウィンドウ内で用いられることが望ましい。
【０１１５】
他の実施形態が、ＴＤＤに対して提供される。ｅＰＤＣＣＨ及びレガシーＰＤＣＣＨのうちの１つのタイプのみが、（サービングセル毎又は複数のサービングセル毎に）サブフレームｎ−ｋｍにおけるバンドリングウィンドウ内で（スペシャルサブフレームを含む）複数のＤＬサブフレームに対して用いられる（しかし、一緒に使用されない）。ＴＤＤに関して、レガシーＰＤＣＣＨ及びｅＰＤＣＣＨの複数のＤＬ制御チャネルの異なる複数のタイプが、サブフレームｎ−ｋｍにおけるバンドリングウィンドウ内に共存できる場合、
0005984277.tif 000116
であり、ここで、ｖａｌｕｅは、特定のサブフレーム、シグナリングされた値、物理ダウンリンク共有チャネル、又は半永続的スケジューリング（ＳＰＳ）値のうちの１又は複数に関連付けられる値である。
【０１１６】
図９は、ここで説明される様々な実施形態を実行するために用いられてよい例示的なシステム９００を概略的に示す。図９は、一実施形態に関して、１又は複数のプロセッサ９０５、（複数の）プロセッサ９０５のうちの少なくとも１つに連結されるシステム制御モジュール９１０、システム制御モジュール９１０に連結されるシステムメモリ９１５、システム制御モジュール９１０に連結される不揮発性メモリ（ＮＶＭ）／ストレージ９２０、及びシステム制御モジュール９１０に連結される１又は複数の通信インターフェース９２５を有する例示的なシステム９００を示す。
【０１１７】
いくつかの実施形態において、システム９００は、ここで説明されるようなＵＥ１１０として機能することができてよい。他の複数の実施形態において、システム９００は、図１に示される実施形態又は他の説明された複数の実施形態のうちの任意の１つにおいて示されるｅＮＢ１０５として機能することができてよい。いくつかの実施形態において、システム９００は、複数の命令を有する１又は複数のコンピュータ可読媒体（例えば、システムメモリ又はＮＶＭ／ストレージ９２０）、及び１又は複数のコンピュータ可読媒体に連結され、ここで説明された複数の動作を実行するモジュールを実装するために複数の命令を実行するように構成される１又は複数のプロセッサ（例えば、（複数の）プロセッサ９０５）を含んでよい。一実施形態のためのシステム制御モジュール９１０は、（複数の）プロセッサ９０５のうちの少なくとも１つ及び／又はシステム制御モジュール９１０と通信する任意の適切なデバイス又はコンポーネントに任意の適切なインターフェースを提供するために、任意の適切な複数のインターフェースコントローラを含んでよい。
【０１１８】
システム制御モジュール９１０は、システムメモリ９１５にインターフェースを提供するメモリ制御モジュール９３０を含んでよい。メモリ制御モジュール９３０は、ハードウェアモジュール、ソフトウェアモジュール、及び／又はファームウェアモジュールであってよい。
【０１１９】
システムメモリ９１５は、データ及び／又は複数の命令を、例えば、システム９００に対して、ロード及びストアするために用いられてよい。一実施形態のためのシステムメモリ９１５は、例えば、適切なＤＲＡＭのような任意の適切な揮発性メモリを含んでよい。いくつかの実施形態において、システムメモリ９１５は、ダブルデータレートタイプの４つの同期ダイナミックランダムアクセスメモリ（ＤＤＲ４  ＳＤＲＡＭ）を含んでよい。一実施形態のためのシステム制御モジュール９１０は、ＮＶＭ／ストレージ９２０へのインターフェース及び（複数の）通信インターフェース９２５を提供する１又は複数の入力／出力（Ｉ／Ｏ）コントローラを含んでよい。
【０１２０】
ＮＶＭ／ストレージ９２０は、例えば、データ及び／又は複数の命令を格納するために用いられてよい。ＮＶＭ／ストレージ９２０は、例えば、フラッシュメモリのような任意の適切な不揮発性メモリを含んでよく、及び／又は例えば、１又は複数のハードディスクドライブ（ＨＤＤ）、１又は複数のコンパクトディスク（ＣＤ）ドライブ、及び／又は１又は複数のデジタル多用途ディスク（ＤＶＤ）ドライブのような任意の適切な（複数の）不揮発性ストレージデバイスを含んでよい。ＮＶＭ／ストレージ９２０は、ストレージリソースを含んでよく、必ずしもデバイスの一部であるとは限らないが、物理的に、システム９００がインストールされる又はそれがアクセス可能であり得るデバイスの一部である。例えば、ＮＶＭ／ストレージ９２０は、（複数の）通信インターフェース９２５を介してネットワークを通じてアクセスされてよい。
【０１２１】
（複数の）通信インターフェース９２５は、１又は複数のネットワークを通じて及び／又は任意の他の適切なデバイスと通信するために、システム９００に対してインターフェースを提供してよい。システム９００は、１又は複数の無線ネットワーク規格及び／又はプロトコルのいずれかに従う無線ネットワークの１又は複数のコンポーネントと無線で通信してよい。
【０１２２】
一実施形態に関して、（複数の）プロセッサ９０５のうちの少なくとも１つは、システム制御モジュール９１０の１又は複数のコントローラのためのロジック、例えば、メモリ制御モジュール９３０ともにパッケージ化されてよい。一実施形態に関して、（複数の）プロセッサ９０５のうちの少なくとも１つは、システムインパッケージ（ＳｉＰ）を形成するために、システム制御モジュール９１０の１又は複数のコントローラのためのロジックともにパッケージ化されてよい。一実施形態に関して、（複数の）プロセッサ９０５のうちの少なくとも１つは、システム制御モジュール９１０の１又は複数のコントローラのためのロジックと同じダイ上に集積されてよい。一実施形態に関して、（複数の）プロセッサ９０５のうちの少なくとも１つは、システムオンチップ（ＳｏＣ）形成するために、システム制御モジュール９１０の１又は複数のコントローラのためのロジックと同じダイ上に集積されてよい。
【０１２３】
様々な実施形態において、システム９００は、これに限定されないが、サーバ、ワークステーション、デスクトップコンピューティングデバイス、又はモバイルコンピューティングデバイス（例えば、ラップトップコンピューティングデバイス、ハンドヘルドコンピューティングデバイス、タブレット、ネットブック等）であってよい。様々な実施形態において、システム９００は、より多い又はより少ないコンポーネント、及び／又は異なる複数のアーキテクチャを有してよい。例えば、いくつかの実施形態において、システム９００は、カメラ、キーボード、液晶ディスプレイ（ＬＣＤ）スクリーン（複数のタッチスクリーンディスプレイを含む）、不揮発性メモリポート、複数のアンテナ、グラフィックスチップ、特定用途向け集積回路（ＡＳＩＣ）、及び複数のスピーカのうちの１又は複数を含む。
【０１２４】
図１０は、ここで説明される複数の技術（例えば、複数の方法）のうちの任意の１又は複数が実行してよい実施形態に係る拡張型物理ダウンリンク制御チャネルを伴う動的ハイブリッド自動リピートリクエスト肯定応答（ＨＡＲＱ−ＡＣＫ）送信を提供する例示的な機械１０００のブロック図を示す。代替的な複数の実施形態において、機械１０００は、スタンドアロンデバイスとして動作してよく、又は他の複数の機械に接続（例えば、ネットワーク接続）されてよい。ネットワーク接続された配置において、機械１０００は、複数のサーバクライアントネットワーク環境において、サーバマシン及び／又はクライアントマシンの能力において動作してよい。ある例において、機械１０００は、ピアツーピア（Ｐ２Ｐ）（又は他の分散型）ネットワーク環境におけるピアマシンとして動作してよい。機械１０００は、パーソナルコンピュータ（ＰＣ）、タブレットＰＣ、セットトップボックス（ＳＴＢ）、携帯用情報端末（ＰＤＡ）、携帯電話、ウェブアプライアンス、ネットワークルータ、スイッチ又はブリッジ、又は機械によって行われるべき複数の動作を規定する複数の命令（シーケンシャルな又は他の）を実行することができる任意の機械であってよい。さらに、単一の機械が示されるが、用語「機械」は、クラウドコンピューティング、ソフトウェア・アズ・ア・サービス（ＳａａＳ）、他の複数のコンピュータクラスタ構成のような、ここで説明される複数の方法のうちの任意の１又は複数を実行するために、複数の命令のセット（又は複数のセット）を独立に又は連帯して実行する複数の機械の任意の集合を含むように解釈されるべきである。
【０１２５】
ここで説明されるような複数の例は、ロジック又は多数のコンポーネント、モジュール又はメカニズムを含んでよく、又はその上で動作してよい。複数のモジュールは、規定の複数の動作を実行することができる複数の有体物（例えば、ハードウェア）であり、ある手法において構成又は配置されてよい。ある例において、複数の回路は、モジュールとして規定の手法において、（例えば、内部に又は他の複数の回路のような外部の複数のエンティティに関して）配置されてよい。ある例において、１又は複数のコンピュータシステム（例えば、スタンドアロン、クライアント又はサーバコンピュータシステム）の少なくとも一部、又は１又は複数のハードウェアプロセッサ１００２は、ファームウェア又はソフトウェア（例えば、複数の命令、アプリケーションの部分、又は規定の複数の動作を実行するように動作するモジュールとしてのアプリケーション）によって設定されてよい。ある例において、ソフトウェアは、少なくとも１つの機械可読媒体上に存在してよい。ある例において、ソフトウェアは、モジュールの基本的なハードウェアによって実行されたときに、ハードウェアに規定の複数の動作を実行させる。
【０１２６】
したがって、用語「モジュール」は、規定の手法において動作し、又はここで説明される任意の動作の少なくとも一部を実行する、物理的に構築され、具体的に構成され（例えば、配線で接続され）、又は一時的に（例えば、短い期間の間）構成され（例えば、プログラムされ）るエンティティである有体物を含むように理解される。複数のモジュールが一時的に構成される複数の例を考慮すると、モジュールは、時間におけるどの時にもインスタンス化されない必要がある。例えば、複数のモジュールが、ソフトウェアを用いて構成される汎用ハードウェアプロセッサ１００２を備える場合、汎用ハードウェアプロセッサは、その時々においてそれぞれ異なるモジュールとして構成されてよい。ソフトウェアは、結果的に、例えば、時間の１つのインスタンスで特定のモジュールを構成し、異なる時間のインスタンスで異なるモジュールを構成する、ハードウェアプロセッサを構成してよい。用語「アプリケーション」又はその異形は、複数のルーティーン、複数のプログラムモジュール、複数のプログラム、複数のコンポーネント及び同類のものを含むように、ここで拡張的に用いられ、シングルプロセッサ又はマルチプロセッサシステム、マイクロプロセッサベースの電子機器、シングルコア又はマルチコアシステム、それらの組み合わせ、及び同類のもを含む様々なシステム構成上で実装されてよい。したがって、用語「アプリケーション」は、ソフトウェアの実施形態、又はここで説明される任意の動作の少なくとも一部を実行するように配置されるハードウェアを言及するために用いられてよい。
【０１２７】
機械（例えば、コンピュータシステム）１０００は、ハードウェアプロセッサ１００２（例えば、中央処理ユニット（ＣＰＵ）、グラフィックス処理ユニット（ＧＰＵ）、ハードウェアプロセッサコア、又はそれらの任意の組み合わせ）、メインメモリ１００４、及びスタティックメモリ１００６を含んでよく、これらの少なくともいくつかは、インターリンク（例えば、バス）１００８を介して他と通信してよい。機械１０００は、ディスプレイユニット１０１０、英数字の入力デバイス１０１２（例えば、キーボード）、及びユーザインターフェース（ＵＩ）ナビゲーションデバイス１０１４（例えば、マウス）をさらに含んでよい。ある例において、ディスプレイユニット１０１０、入力デバイス１０１２、及びＵＩナビゲーションデバイス１０１４は、タッチスクリーンディスプレイであってよい。機械１０００は、ストレージデバイス（例えば、ドライブユニット）１０１６、信号生成デバイス１０１８（例えば、スピーカ）、ネットワークインターフェースデバイス１０２０、及びグローバルポジショニングシステム（ＧＰＳ）センサ、コンパス、加速度計、又は他のセンサのような１又は複数のセンサ１０２１をさらに含んでよい。機械１０００は、１又は複数の周辺デバイス（例えば、プリンタ、カードリーダ等）と通信又は制御するための、シリアル（例えば、ユニバーサルシリアルバス（ＵＳＢ）、パラレル、又は他の有線又は無線（例えば、赤外線（ＩＲ））接続のような出力コントローラ１０２８を含んでよい。
【０１２８】
ストレージデバイス１０１６は、ここで説明される複数の技術又は機能のうちの任意の１又は複数を具現化する又はそれらによって利用される複数のデータ構造又は複数の命令１０２４（例えば、ソフトウェア）の１又は複数のセットが格納される少なくとも１つの機械可読媒体１０２２を含んでよい。複数の命令１０２４は、メインメモリ１００４、スタティックメモリ１００６のような追加の複数の機械可読メモリに少なくとも部分的に、又は機械１０００によるその実行の間にハードウェアプロセッサ１００２内に存在してもよい。ある例において、ハードウェアプロセッサ１００２の１つ又はいくつかの組み合わせ、メインメモリ１００４、スタティックメモリ１００６、又はストレージデバイス１０１６は、機械可読媒体を構成してよい。
【０１２９】
機械可読媒体１０２２が単一の媒体として示されるが、用語「機械可読媒体」は、１又は複数の命令１０２４を格納するように構成される単一の媒体又は複数の媒体（例えば、集中型又は分散型データベース、及び／又は関連付けられる複数のキャッシュ及び複数のサーバ）を含んでよい。
【０１３０】
用語「機械可読媒体」は、機械１０００による実行のための複数の命令を格納、エンコード、又は搬送することができ、機械１０００に本開示の複数の技術のうちの任意の１又は複数を実行させ、又はそのような複数の命令によって用いられる又はそれらに関連付けられる複数のデータ構造を格納、エンコード、又は搬送することができる任意の媒体を含んでよい。非限定的な機械可読媒体の複数の例は、複数のソリッドステートメモリ、及び光磁気媒体を含んでよい。機械可読媒体の特定の複数の例は、複数の半導体メモリデバイス（例えば、電気的プログラマブルリードオンリメモリ（ＥＰＲＯＭ）、電気的消去可能プログラマブルリードオンリメモリ（ＥＥＰＲＯＭ））、及び複数のフラッシュメモリデバイスのような不揮発性メモリ、複数の内部ハードディスク及び複数のリムーバブルディスクのような複数の磁気ディスク、複数の光磁気ディスク、及びＣＤ−ＲＯＭ及びＤＶＤ−ＲＯＭディスクを含んでよい。
【０１３１】
複数の命令１０２４は、多数の転送プロトコル（例えば、フレームリレー、インターネットプロトコル（ＩＰ）、送信制御プロトコル（ＴＣＰ）、ユーザデータグラムプロトコル（ＵＤＰ）、ハイパーテキスト転送プロトコル（ＨＴＴＰ）等）のうちの任意の１つを利用するネットワークインターフェースデバイス１０２０を介して、伝送媒体を用いて通信ネットワーク１０２６を通じてさらに送信され又は受信されてよい。例示的な複数の通信ネットワークは、ローカルエリアネットワーク（ＬＡＮ）、ワイドエリアネットワーク（ＷＡＮ）、パケットデータネットワーク（例えば、インターネット）、複数の携帯電話ネットワーク（例えば、符号分割多重アクセス（ＣＤＭＡ）、時間分割多重アクセス（ＴＤＭＡ）、周波数分割多重アクセス（ＦＤＭＡ）、及び直交周波数分割多重アクセス（ＯＦＤＭＡ）を含む複数のチャネルアクセス方法、及びグローバル・システム・フォー・モバイル・コミュニケーションズ（ＧＳＭ（登録商標））、ユニバーサル・モバイル・テレコミュニケーションズ・システム（ＵＭＴＳ、ＣＤＭＡ２０００  １ｘ＊規格、及びロングタームエボリューション（ＬＴＥ）のような複数の携帯電話ネットワーク）、複数の基本電話（ＰＯＴＳ）ネットワーク、及び複数の無線データネットワーク（例えば、複数の電気電子技術者協会（ＩＥＥＥ）８０２．１１規格（ＷｉＦｉ）、複数のＩＥＥＥ８０２．１６規格（ＷｉＭａｘ）及びその他を含む複数の規格のＩＥＥＥ８０２ファミリー）、複数のピアツーピア（Ｐ２Ｐ）ネットワーク、又は現在既知の又は今後開発される他の複数のプロトコルを含んでよい。
【０１３２】
例えば、ネットワークインターフェースデバイス１０２０は、通信ネットワーク１０２６に接続するための１又は複数の物理的なジャック（例えば、イーサネット（登録商標）、同軸、又は電話の複数のジャック）又は１又は複数のアンテナを含んでよい。ある例において、ネットワークインターフェースデバイス１０２０は、単入力多出力（ＳＩＭＯ）、多入力多出力（ＭＩＭＯ）、又は多入力単出力（ＭＩＳＯ）技術の少なくとも１つを用いて無線で通信するための複数のアンテナを含んでよい。用語「伝送媒体」は、機械１０００による実行のために複数の命令を格納、エンコード、又は搬送することができる任意の無形の媒体を含むように解釈されるべきであり、そのようなソフトウェアの通信を促進するためのデジタル又はアナログの通信信号又は他の無形の媒体を含む。
［補注及び例］
【０１３３】
例１において、サービングノードに対する（デバイス、装置、クライアント、又はシステムのような）主題を含み、最低制御チャネルエレメントインデックス（ｎＣＣＥ）及び最低拡張型制御チャネルエレメントインデックス（ｎｅＣＣＥ）のうちの１つ、ユーザ機器固有開始オフセット（
0005984277.tif 000117
）、並びに少なくとも１つの追加のオフセット関連パラメータを、拡張型物理ダウンリンク制御チャネル（ｅＰＤＣＣＨ）上で受信するように配置される受信機と、最低制御チャネルエレメントインデックス（ｎＣＣＥ）及び最低拡張型制御チャネルエレメントインデックス（ｎｅＣＣＥ）のうちの１つ、ユーザ機器固有開始オフセット（
0005984277.tif 000118
）、並びに少なくとも１つの追加のオフセット関連パラメータから選択される少なくとも１つに基づいて、ハイブリッド自動リピートリクエスト肯定応答（ＨＡＲＱ−ＡＣＫ）送信に対する物理アップリンク制御チャネル（ＰＵＣＣＨ）のアップリンクリソースの割り当てを決定するように配置されるプロセッサと、割り当てられるアップリンクリソースを用いてＰＵＣＣＨ上で信号を送信するように配置される送信機とを含む。
【０１３４】
例２において、例１の主題は、選択的に含んでよく、少なくとも１つの追加のオフセット関連パラメータは、肯定応答／否定応答（ＡＣＫ／ＮＡＣＫ）リソースオフセット（ＡＲＯ）値、アンテナポートオフセット（ＡＰ）、規定のサブフレームにおけるユーザ機器への複数のｅＰＤＣＣＨセットの中のｅＣＣＥインデックスの最大数（Ｎｍ）、複数の協調セルにおいてユーザ機器との衝突を回避するために上位レイヤのシグナリングによってユーザ機器に通知されたオフセット
0005984277.tif 000119
、並びに特定のサブフレーム、シグナリングされた値、物理ダウンリンク共有チャネル、及び半永続的スケジューリング（ＳＰＳ）のうちの１又は複数に関連付けられる値から選択される少なくとも１つを備える。
【０１３５】
例３において、例１―２のうちの任意の１又は複数の主題は、選択的に含んでよく、受信機は、無線リソース制御（ＲＲＣ）シグナリングによって設定される検出されたｅＰＤＣＣＨセットに対するユーザ機器固有開始オフセット
0005984277.tif 000120
をさらに受信する。
【０１３６】
例４において、例１―３のうちの任意の１又は複数の主題は、選択的に含んでよく、プロセッサは、後方互換性キャリアを用いるＨＡＲＱ−ＡＣＫ送信に対するＰＵＣＣＨのアップリンクリソースのＡＲＩベース割り当て（
0005984277.tif 000121
）が
0005984277.tif 000122
によって与えられることを決定するようにさらに配置され、ここで、ｆ（ｎｅＣＣＥ）は、最低拡張型制御チャネルエレメントインデックス（ｎｅＣＣＥ）の関数である。
【０１３７】
例５において、例１―４のうちの任意の１又は複数の主題は、選択的に含んでよく、プロセッサは、新たなキャリアタイプ（ＮＣＴ）に関するＨＡＲＱ−ＡＣＫ送信に対するＰＵＣＣＨのアップリンクリソースのＡＰベース割り当てが
0005984277.tif 000123
又は
0005984277.tif 000124
のうちの１つによって与えられることを決定するようにさらに配置され、ここで、ｆ（ｎＥＣＣＥ，ｍ）は、ｅＰＤＣＣＨセットｍにおいてユーザ機器への検出されたｅＰＤＣＣＨに対する最低ｅＣＣＥインデックスの関数であり、ｍ＝０，１，...，Ｍ−１であり、Ｍは、ユーザ機器へのｅＰＤＣＣＨセットの数である。
【０１３８】
例６において、例１―５のうちの任意の１又は複数の主題は、選択的に含んでよく、プロセッサは、後方互換性キャリアを用いるＨＡＲＱ−ＡＣＫ送信に対するＰＵＣＣＨのアップリンクリソースのハイブリッド割り当て（
0005984277.tif 000125
）が
0005984277.tif 000126
によって与えられることを決定するようにさらに配置される。
【０１３９】
例７において、例１―６のうちの任意の１又は複数の主題は、選択的に含んでよく、プロセッサは、新たなキャリアタイプ（ＮＣＴ）に関するＨＡＲＱ−ＡＣＫ送信に対するＰＵＣＣＨのアップリンクリソースのＡＰベース割り当てが
0005984277.tif 000127
によって与えられることを決定するようにさらに配置される。
【０１４０】
例８において、例１―７のうちの任意の１又は複数の主題は、選択的に含んでよく、プロセッサは、拡張型ＰＤＣＣＨの送信のためのサブフレームｎに対するリソース割り当てのためのＨＡＲＱ−ＡＣＫバンドリングに対する物理アップリンク制御チャネル（ＰＵＣＣＨ）のアップリンクリソースの割り当てが次式によって与えられることを決定するようにさらに配置される。
【０１４１】
ｅＰＤＣＣＨ−ＰＲＢセットｑが分散型送信に対して設定される場合、
0005984277.tif 000128
である。
【０１４２】
ｅＰＤＣＣＨ−ＰＲＢセットｑが局在型送信に対して設定される場合、
0005984277.tif 000129
である。
【０１４３】
例９において、例１―８のうちの任意の１又は複数の主題は、選択的に含んでよく、プロセッサは、ＡＲＩベースの
0005984277.tif 000130
を決定するようにさらに配置され、ＨＡＲＱ−ＡＣＫ送信に対するＰＵＣＣＨのアップリンクリソースの割り当ては、ｖａｌｕｅ＋によって与えられ、ここで、ｖａｌｕｅは、特定のサブフレーム、シグナリングされた値、物理ダウンリンク共有チャネル、及び半永続的スケジューリング（ＳＰＳ）のうちの１又は複数に関連付けられ、サブフレームにおいて用いられてＰＵＣＣＨフォーマット３に対して設定される拡張型ＰＤＣＣＨに対して、ＡＲＩオフセット値に基づいて、ＨＡＲＱ−ＡＣＫ送信に対するＰＵＣＣＨのアップリンクリソースの割り当てを決定し、４つの設定されたリソースの中の用いられるＰＵＣＣＨフォーマット３リソースを示すために、プライマリセル上の１に等しいダウンリンク割り当てインデックス（ＤＡＩ）を有するサブフレーム以外において、サブフレームにおいて用いられてＰＵＣＣＨフォーマット３に対して設定される拡張型ＰＤＣＣＨに対して、複数の送信電力制御（ＴＰＣ）を用いるＨＡＲＱ−ＡＣＫ送信に対するＰＵＣＣＨのアップリンクリソースの割り当てを決定し、サブフレームにおいて用いられてキャリアアグリゲーションに対して設定されるユーザ機器に対するチャネル選択を伴うＰＵＣＣＨフォーマット３及びＰＵＣＣＨフォーマット１ｂのうちの１つに対して設定される拡張型ＰＤＣＣＨに対して、プライマリセル上で送信される複数の拡張型ＰＤＣＣＨに対する前記ＡＲＩオフセット値を含むＨＡＲＱ−ＡＣＫ送信に対するＰＵＣＣＨのアップリンクリソースの割り当てを決定し、拡張型ＰＤＣＣＨのためのダウンリンク（ＤＬ）サブフレームに対するＲＲＣシグナリングによって設定される拡張型ＰＤＣＣＨセットｓに対するユーザ機器固有開始オフセットを用い、レガシーＰＤＣＣＨに関連付けられる複数のＤＬサブフレームに対するＲＲＣシグナリングによって設定される拡張型ＰＤＣＣＨセットｓに対するセル固有開始オフセットを用いるＨＡＲＱ−ＡＣＫ送信に対するＰＵＣＣＨのアップリンクリソースの割り当てを決定する。
【０１４４】
例１０において、例１―９のうちの任意の１又は複数の主題は、選択的に含んでよく、プロセッサは、サブフレーム内でＰＵＣＣＨリソース値を決定するために、プライマリセルにおいて及び各セカンダリセルにおいて、各ＰＤＣＣＨ割り当て上でＨＡＲＱ−ＡＣＫ  ＰＵＣＣＨリソース値を送信するようにさらに配置される。
【０１４５】
例１１において、例１―１０のうちの任意の１又は複数の主題は、選択的に含んでよく、受信機は、１に等しいＤＡＩを有する単一の物理ダウンリンク共有チャネル（ＰＤＳＣＨ）をプライマリセル上で受信するようにさらに配置され、プロセッサは、ＨＡＲＱ−ＡＣＫ送信に対する物理アップリンク制御チャネル（ＰＵＣＣＨ）のアップリンクリソースの割り当てに対する動的リソース割り当てを伴うＰＵＣＣＨフォーマット１ａ／１ｂを用いる。
【０１４６】
例１２において、例１―１１のうちの任意の１又は複数の主題は、選択的に含んでよく、プロセッサは、複数のダウンリンクサブフレームに対して、拡張型物理ダウンリンク制御チャネル及びレガシー物理ダウンリンク制御チャネルのうちの１つだけを用いるようにさらに配置される。
【０１４７】
例１３において、（複数の動作を実行する方法又は手段のような）主題を含んでよく、主題は、拡張型物理ダウンリンク制御チャネル（ｅＰＤＣＣＨ）上で、最低制御チャネルエレメントインデックス（ｎＣＣＥ）及び最低拡張型制御チャネルエレメントインデックス（ｎｅＣＣＥ）のうちの１つを受信する段階と、拡張型物理ダウンリンク制御チャネル（ｅＰＤＣＣＨ）上で、ユーザ機器固有開始オフセット（
0005984277.tif 000131
）を受信する段階と、拡張型物理ダウンリンク制御チャネル（ｅＰＤＣＣＨ）上で、肯定応答／否定応答（ＡＣＫ／ＮＡＣＫ）リソースオフセット（ＡＲＯ）値、アンテナポートオフセット（ＡＰ)、規定のサブフレームにおけるユーザ機器への複数のｅＰＤＣＣＨセットの中の複数のｅＣＣＥインデックスの最大数（Ｎｍ）、複数の協調セルにおけるユーザ機器との衝突を回避するために上位レイヤのシグナリングによってユーザ機器に通知されたオフセット（
0005984277.tif 000132
）、並びに特定のサブフレーム、シグナリングされた値、物理ダウンリンク共有チャネル、及び半永続的スケジューリング（ＳＰＳ）のうちの１又は複数に関連付けられる値から選択される少なくとも１つを受信する段階と、最低制御チャネルエレメントインデックス（ｎＣＣＥ）及び最低拡張型制御チャネルエレメントインデックス（ｎｅＣＣＥ）のうちの１つ、ユーザ機器固有開始オフセット（
0005984277.tif 000133
）、並びに肯定応答／否定応答（ＡＣＫ／ＮＡＣＫ）リソースオフセット（ＡＲＯ）値、アンテナポートオフセット（ＡＰ）、規定のサブフレームにおけるユーザ機器への複数のｅＰＤＣＣＨセットの中の複数のｅＣＣＥインデックスの最大数（Ｎｍ）、複数の協調セルにおけるユーザ機器との衝突を回避するために上位レイヤのシグナリングによってユーザ機器に通知されたオフセット（
0005984277.tif 000134
）、並びに特定のサブフレーム、シグナリングされた値、物理ダウンリンク共有チャネル、及び半永続的スケジューリング（ＳＰＳ）のうちの１又は複数に関連付けられる値から選択される少なくとも１つに基づいて、ＨＡＲＱ−ＡＣＫ送信に対する物理アップリンク制御チャネル（ＰＵＣＣＨ）のアップリンクリソースの割り当てを決定する段階とを含む。
【０１４８】
例１４において、例１３の主題は、選択的に含んでよく、ユーザ機器固有開始オフセット（
0005984277.tif 000135
）を受信する段階は、ＲＲＣシグナリングによって設定される検出されたｅＰＤＣＣＨセットに対するユーザ機器固有開始オフセット（
0005984277.tif 000136
）を受信する段階をさらに備える。
【０１４９】
例１５において、例１３―１４のうちの任意の１又は複数の主題は、選択的に含んでよく、ＨＡＲＱ−ＡＣＫ送信に対する物理アップリンク制御チャネル（ＰＵＣＣＨ）のアップリンクリソースの割り当てを決定する段階は、後方互換性キャリアを用いるＨＡＲＱ−ＡＣＫ送信に対するＰＵＣＣＨのアップリンクリソースのＡＲＩベース割り当て（
0005984277.tif 000137
）が
0005984277.tif 000138
によって与えられることを決定する段階を備え、ここで、ｆ（ｎｅＣＣＥ）は、最低拡張型制御チャネルエレメントインデックス（ｎｅＣＣＥ）の関数である。
【０１５０】
例１６において、例１３―１５のうちの任意の１又は複数の主題は、選択的に含んでよく、ＨＡＲＱ−ＡＣＫ送信に対する物理アップリンク制御チャネル（ＰＵＣＣＨ）のアップリンクリソースの割り当てを決定する段階は、新たなキャリアタイプ（ＮＣＴ）に関するＨＡＲＱ−ＡＣＫ送信に対するＰＵＣＣＨのアップリンクリソースのＡＰベース割り当てが
0005984277.tif 000139
又は
0005984277.tif 000140
のうちの１つによって与えられることを決定する段階を備え、ここで、ｆ（ｎＥＣＣＥ，ｍ）は、ｅＰＤＣＣＨセットｍにおいてユーザ機器への検出されたｅＰＤＣＣＨに対する最低ｅＣＣＥインデックスの関数であり、ｍ＝０，１，...，Ｍ−１であり、Ｍは、ユーザ機器へのｅＰＤＣＣＨセットの数である。
【０１５１】
例１７において、例１３―１６のうちの任意の１又は複数の主題は、選択的に含んでよく、ＨＡＲＱ−ＡＣＫ送信に対する物理アップリンク制御チャネル（ＰＵＣＣＨ）のアップリンクリソースの割り当てを決定する段階は、後方互換性キャリアを用いるＨＡＲＱ−ＡＣＫ送信に対するＰＵＣＣＨのアップリンクリソースのハイブリッド割り当て（
0005984277.tif 000141
）が
0005984277.tif 000142
によって与えられることを決定する段階を備える。
【０１５２】
例１８において、例１３―１７のうちの任意の１又は複数の主題は、選択的に含んでよく、ＨＡＲＱ−ＡＣＫ送信に対する物理アップリンク制御チャネル（ＰＵＣＣＨ）のアップリンクリソースの割り当てを決定する段階は、新たなキャリアタイプ（ＮＣＴ）に関するＨＡＲＱ−ＡＣＫ送信に対するＰＵＣＣＨのアップリンクリソースのＡＰベース割り当てが
0005984277.tif 000143
によって与えられることを決定する段階を備える。
【０１５３】
例１９において、例１３―１８のうちの任意の１又は複数の主題は、選択的に含んでよく、ＨＡＲＱ−ＡＣＫ送信に対する物理アップリンク制御チャネル（ＰＵＣＣＨ）のアップリンクリソースの割り当てを決定する段階は、拡張型ＰＤＣＣＨの送信のためのサブフレームｎに対するリソース割り当てのためのＨＡＲＱ−ＡＣＫバンドリングに対する物理アップリンク制御チャネル（ＰＵＣＣＨ）のアップリンクリソースの割り当てを次のように決定する段階を備える。
【０１５４】
ｅＰＤＣＣＨ−ＰＲＢセットｑが分散型送信に対して設定される場合、
0005984277.tif 000144
である。
【０１５５】
ｅＰＤＣＣＨ−ＰＲＢセットｑが局在型送信に対して設定される場合、
0005984277.tif 000145
である。
【０１５６】
例２０において、例１３―１９のうちの任意の１又は複数の主題は、選択的に含んでよく、ＨＡＲＱ−ＡＣＫ送信に対する物理アップリンク制御チャネル（ＰＵＣＣＨ）のアップリンクリソースの割り当てを決定する段階は、ＨＡＲＱ−ＡＣＫ送信に対するＰＵＣＣＨのアップリンクリソースのＡＲＩベース割り当てが
0005984277.tif 000146
によって与えられることを決定する段階を備え、ここで、ｖａｌｕｅは、特定のサブフレーム、シグナリングされた値、物理ダウンリンク共有チャネル、及び半永続的スケジューリング（ＳＰＳ）のうちの１又は複数に関連付けられる。
【０１５７】
例２１において、例１３―２０のうちの任意の１又は複数の主題は、選択的に含んでよく、ＨＡＲＱ−ＡＣＫ送信に対する物理アップリンク制御チャネル（ＰＵＣＣＨ）のアップリンクリソースの割り当てを決定する段階は、サブフレームにおいて用いられてＰＵＣＣＨフォーマット３に対して設定される拡張型ＰＤＣＣＨに対して、ＡＲＩオフセット値に基づいて、ＨＡＲＱ−ＡＣＫ送信に対するＰＵＣＣＨのアップリンクリソースの割り当てを決定する段階、４つの設定されたリソースの中の用いられるＰＵＣＣＨフォーマット３リソースを示すために、プライマリセル上の１に等しいダウンリンク割り当てインデックス（ＤＡＩ）を有するサブフレーム以外において、サブフレームにおいて用いられてＰＵＣＣＨフォーマット３に対して設定される拡張型ＰＤＣＣＨに対して、複数の送信電力制御（ＴＰＣ）を用いるＨＡＲＱ−ＡＣＫ送信に対するＰＵＣＣＨのアップリンクリソースの割り当てを決定する段階、サブフレームにおいて用いられてキャリアアグリゲーションに対して設定されるユーザ機器に対するチャネル選択を伴うＰＵＣＣＨフォーマット３及びＰＵＣＣＨフォーマット１ｂのうちの１つに対して設定される拡張型ＰＤＣＣＨに対して、プライマリセル上で送信される複数の拡張型ＰＤＣＣＨに対するＡＲＩオフセット値を含むＨＡＲＱ−ＡＣＫ送信に対するＰＵＣＣＨのアップリンクリソースの割り当てを決定する段階、及び拡張型ＰＤＣＣＨのためのダウンリンク（ＤＬ）サブフレームに対するＲＲＣシグナリングによって設定される拡張型ＰＤＣＣＨセットｓに対するユーザ機器固有開始オフセットを用い、レガシーＰＤＣＣＨに関連付けられる複数のＤＬサブフレームに対するＲＲＣシグナリングによって設定される拡張型ＰＤＣＣＨセットｓに対するセル固有開始オフセットを用いるＨＡＲＱ−ＡＣＫ送信に対するＰＵＣＣＨのアップリンクリソースの割り当てを決定する段階から選択される１つを備える。
【０１５８】
例２２において、例１３―２１のうちの任意の１又は複数の主題は、選択的に含んでよく、ＨＡＲＱ−ＡＣＫ送信に対する物理アップリンク制御チャネル（ＰＵＣＣＨ）のアップリンクリソースの割り当てを決定する段階は、サブフレーム内でＰＵＣＣＨリソース値を決定するために、プライマリセルにおいて及び各セカンダリセルにおいて、各ＰＤＣＣＨ割り当て上でＨＡＲＱ−ＡＣＫ  ＰＵＣＣＨリソース値を送信する段階を備える。
【０１５９】
例２３において、例１３―２２のうちの任意の１又は複数の主題は、選択的に含んでよく、１に等しいＤＡＩを有する単一の物理ダウンリンク共有チャネル（ＰＤＳＣＨ）をプライマリセル上で受信する段階と、ＨＡＲＱ−ＡＣＫ送信に対する物理アップリンク制御チャネル（ＰＵＣＣＨ）のアップリンクリソースの割り当てに対する動的リソース割り当てを伴うＰＵＣＣＨフォーマット１ａ／１ｂを用いる段階とをさらに備える。
【０１６０】
例２４において、例１３―２３のうちの任意の１又は複数の主題は、選択的に含んでよく、複数のダウンリンクサブフレームに対して、拡張型物理ダウンリンク制御チャネル及びレガシー物理ダウンリンク制御チャネルのうちの１つだけを用いる段階をさらに備える。
【０１６１】
例２５において、（複数の動作を実行する手段、又は複数の命令を含む機械可読媒体のような）主題を含んでよく、機械によって実行されたときに、機械に、拡張型物理ダウンリンク制御チャネル（ｅＰＤＣＣＨ）上で、最低制御チャネルエレメントインデックス（ｎＣＣＥ）及び最低拡張型制御チャネルエレメントインデックス（ｎｅＣＣＥ）のうちの１つを受信することと、拡張型物理ダウンリンク制御チャネル（ｅＰＤＣＣＨ）上で、ユーザ機器固有開始オフセット（
0005984277.tif 000147
）を受信することと、拡張型物理ダウンリンク制御チャネル（ｅＰＤＣＣＨ）上で、肯定応答／否定応答（ＡＣＫ／ＮＡＣＫ）リソースオフセット（ＡＲＯ）値、アンテナポートオフセット（ＡＰ)、規定のサブフレームにおけるユーザ機器への複数のｅＰＤＣＣＨセットの中の複数のｅＣＣＥインデックスの最大数（Ｎｍ）、複数の協調セルにおけるユーザ機器との衝突を回避するために上位レイヤのシグナリングによってユーザ機器に通知されたオフセット（
0005984277.tif 000148
）、並びに特定のサブフレーム、シグナリングされた値、物理ダウンリンク共有チャネル、及び半永続的スケジューリング（ＳＰＳ）のうちの１又は複数に関連付けられる値から選択される少なくとも１つを受信することと、最低制御チャネルエレメントインデックス（ｎＣＣＥ）及び最低拡張型制御チャネルエレメントインデックス（ｎｅＣＣＥ）のうちの１つ、ユーザ機器固有開始オフセット（
0005984277.tif 000149
）、並びに肯定応答／否定応答（ＡＣＫ／ＮＡＣＫ）リソースオフセット（ＡＲＯ）値、アンテナポートオフセット（ＡＰ）、規定のサブフレームにおけるユーザ機器への複数のｅＰＤＣＣＨセットの中の複数のｅＣＣＥインデックスの最大数（Ｎｍ）、複数の協調セルにおけるユーザ機器との衝突を回避するために上位レイヤのシグナリングによってユーザ機器に通知されたオフセット（
0005984277.tif 000150
）、並びに特定のサブフレーム、シグナリングされた値、物理ダウンリンク共有チャネル、及び半永続的スケジューリング（ＳＰＳ）のうちの１又は複数に関連付けられる値から選択される少なくとも１つに基づいて、ＨＡＲＱ−ＡＣＫ送信に対する物理アップリンク制御チャネル（ＰＵＣＣＨ）のアップリンクリソースの割り当てを決定することとを含む複数の動作を実行させる。
【０１６２】
例２６において、例２５の主題は、選択的に含んでよく、ユーザ機器固有開始オフセット（
0005984277.tif 000151
）を受信する段階は、ＲＲＣシグナリングによって設定される検出されたｅＰＤＣＣＨセットに対するユーザ機器固有開始オフセット（
0005984277.tif 000152
）を受信する段階をさらに備える。
【０１６３】
例２７において、例２５―２６のうちの任意の１又は複数の主題は、選択的に含んでよく、ＨＡＲＱ−ＡＣＫ送信に対する物理アップリンク制御チャネル（ＰＵＣＣＨ）のアップリンクリソースの割り当てを決定する段階は、後方互換性キャリアを用いるＨＡＲＱ−ＡＣＫ送信に対するＰＵＣＣＨのアップリンクリソースのＡＲＩベース割り当て（
0005984277.tif 000153
）が
0005984277.tif 000154
によって与えられることを決定する段階を備え、ここで、ｆ（ｎｅＣＣＥ）は、最低拡張型制御チャネルエレメントインデックス（ｎｅＣＣＥ）の関数である。
【０１６４】
例２８において、例２５―２７のうちの任意の１又は複数の主題は、選択的に含んでよく、ＨＡＲＱ−ＡＣＫ送信に対する物理アップリンク制御チャネル（ＰＵＣＣＨ）のアップリンクリソースの割り当てを決定する段階は、新たなキャリアタイプ（ＮＣＴ）に関するＨＡＲＱ−ＡＣＫ送信に対するＰＵＣＣＨのアップリンクリソースのＡＰベース割り当てが
0005984277.tif 000155
又は
0005984277.tif 000156
のうちの１つによって与えられることを決定する段階を備え、ここで、ｆ（ｎＥＣＣＥ，ｍ）は、ｅＰＤＣＣＨセットｍにおいてユーザ機器への検出されたｅＰＤＣＣＨに対する最低ｅＣＣＥインデックスの関数であり、ｍ＝０，１，...，Ｍ−１であり、Ｍは、ユーザ機器へのｅＰＤＣＣＨセットの数である。
【０１６５】
例２９において、例２５―２８のうちの任意の１又は複数の主題は、選択的に含んでよく、ＨＡＲＱ−ＡＣＫ送信に対する物理アップリンク制御チャネル（ＰＵＣＣＨ）のアップリンクリソースの割り当てを決定する段階は、後方互換性キャリアを用いるＨＡＲＱ−ＡＣＫ送信に対するＰＵＣＣＨのアップリンクリソースのハイブリッド割り当て（
0005984277.tif 000157
）が
0005984277.tif 000158
によって与えられることを決定する段階を備える。
【０１６６】
例３０において、例２５―２９のうちの任意の１又は複数の主題は、選択的に含んでよく、ＨＡＲＱ−ＡＣＫ送信に対する物理アップリンク制御チャネル（ＰＵＣＣＨ）のアップリンクリソースの割り当てを決定する段階は、新たなキャリアタイプ（ＮＣＴ）に関するＨＡＲＱ−ＡＣＫ送信に対するＰＵＣＣＨのアップリンクリソースのＡＰベース割り当てが
0005984277.tif 000159
によって与えられることを決定する段階を備える。
【０１６７】
例３１において、例２５―３０のうちの任意の１又は複数の主題は、選択的に含んでよく、ＨＡＲＱ−ＡＣＫ送信に対する物理アップリンク制御チャネル（ＰＵＣＣＨ）のアップリンクリソースの割り当てを決定する段階は、拡張型ＰＤＣＣＨの送信のためのサブフレームｎに対するリソース割り当てのためのＨＡＲＱ−ＡＣＫバンドリングに対する物理アップリンク制御チャネル（ＰＵＣＣＨ）のアップリンクリソースの割り当てを次のように決定する段階を備える。
【０１６８】
ｅＰＤＣＣＨ−ＰＲＢセットｑが分散型送信に対して設定される場合、
0005984277.tif 000160
である。
【０１６９】
ｅＰＤＣＣＨ−ＰＲＢセットｑが局在型送信に対して設定される場合、
0005984277.tif 000161
である。
【０１７０】
例３２において、例２５―３１のうちの任意の１又は複数の主題は、選択的に含んでよく、ＨＡＲＱ−ＡＣＫ送信に対する物理アップリンク制御チャネル（ＰＵＣＣＨ）のアップリンクリソースの割り当てを決定する段階は、ＨＡＲＱ−ＡＣＫ送信に対するＰＵＣＣＨのアップリンクリソースのＡＲＩベース割り当てが
0005984277.tif 000162
によって与えられることを決定する段階を備え、ここで、ｖａｌｕｅは、特定のサブフレーム、シグナリングされた値、物理ダウンリンク共有チャネル、及び半永続的スケジューリング（ＳＰＳ）のうちの１又は複数に関連付けられる。
【０１７１】
例３３において、例２５―３２のうちの任意の１又は複数の主題は、選択的に含んでよく、ＨＡＲＱ−ＡＣＫ送信に対する物理アップリンク制御チャネル（ＰＵＣＣＨ）のアップリンクリソースの割り当てを決定する段階は、サブフレームにおいて用いられてＰＵＣＣＨフォーマット３に対して設定される拡張型ＰＤＣＣＨに対して、ＡＲＩオフセット値に基づいて、ＨＡＲＱ−ＡＣＫ送信に対するＰＵＣＣＨのアップリンクリソースの割り当てを決定する段階、４つの設定されたリソースの中の用いられるＰＵＣＣＨフォーマット３リソースを示すために、プライマリセル上の１に等しいダウンリンク割り当てインデックス（ＤＡＩ）を有するサブフレーム以外において、サブフレームにおいて用いられてＰＵＣＣＨフォーマット３に対して設定される拡張型ＰＤＣＣＨに対して、複数の送信電力制御（ＴＰＣ）を用いるＨＡＲＱ−ＡＣＫ送信に対するＰＵＣＣＨのアップリンクリソースの割り当てを決定する段階、サブフレームにおいて用いられてキャリアアグリゲーションに対して設定されるユーザ機器に対するチャネル選択を伴うＰＵＣＣＨフォーマット３及びＰＵＣＣＨフォーマット１ｂのうちの１つに対して設定される拡張型ＰＤＣＣＨに対して、プライマリセル上で送信される複数の拡張型ＰＤＣＣＨに対するＡＲＩオフセット値を含むＨＡＲＱ−ＡＣＫ送信に対するＰＵＣＣＨのアップリンクリソースの割り当てを決定する段階、及び拡張型ＰＤＣＣＨのためのダウンリンク（ＤＬ）サブフレームに対するＲＲＣシグナリングによって設定される拡張型ＰＤＣＣＨセットｓに対するユーザ機器固有開始オフセットを用い、レガシーＰＤＣＣＨに関連付けられる複数のＤＬサブフレームに対するＲＲＣシグナリングによって設定される拡張型ＰＤＣＣＨセットｓに対するセル固有開始オフセットを用いるＨＡＲＱ−ＡＣＫ送信に対するＰＵＣＣＨのアップリンクリソースの割り当てを決定する段階から選択される１つを備える。
【０１７２】
例３４において、例２５―３３のうちの任意の１又は複数の主題は、選択的に含んでよく、ＨＡＲＱ−ＡＣＫ送信に対する物理アップリンク制御チャネル（ＰＵＣＣＨ）のアップリンクリソースの割り当てを決定する段階は、サブフレーム内でＰＵＣＣＨリソース値を決定するために、プライマリセルにおいて及び各セカンダリセルにおいて、各ＰＤＣＣＨ割り当て上でＨＡＲＱ−ＡＣＫ  ＰＵＣＣＨリソース値を送信する段階を備える。
【０１７３】
例３５において、例２５―３４のうちの任意の１又は複数の主題は、選択的に含んでよく、１に等しいＤＡＩを有する単一の物理ダウンリンク共有チャネル（ＰＤＳＣＨ）をプライマリセル上で受信する段階と、ＨＡＲＱ−ＡＣＫ送信に対する物理アップリンク制御チャネル（ＰＵＣＣＨ）のアップリンクリソースの割り当てに対する動的リソース割り当てを伴うＰＵＣＣＨフォーマット１ａ／１ｂを用いる段階とをさらに備える。
【０１７４】
例３６において、例２５―３５のうちの任意の１又は複数の主題は、選択的に含んでよく、複数のダウンリンクサブフレームに対して、拡張型物理ダウンリンク制御チャネル及びレガシー物理ダウンリンク制御チャネルのうちの１つだけを用いる段階をさらに備える。
【０１７５】
上記の詳細な説明は、詳細な説明の一部を形成する添付の複数の図面に対する参照を含む。複数の図面は、実例として、実施されうる特定の複数の実施形態を示す。これらの実施形態は、「複数の例」としてここでも参照する。そのような複数の例は、示される又は説明されるものに加えて、複数のエレメントを含んでよい。しかし、示される又は説明される複数のエレメントを含む複数の例も期待される。さらに、ここで示される又は説明される、特定の例（又はそれらの１又は複数の態様）に関して、又は他の複数の例（又はそれらの１又は複数の態様）に関して、示される又は説明されるこれらのエレメントの任意の組み合わせ又は置き換えを用いる複数の例（又はそれらの１又は複数の態様）も期待される。
【０１７６】
本明細書において参照される複数の出版物、複数の特許、及び複数の特許文献は、参照により個別に組み込まれるかのように、それらの全体においてここで参照により組み込まれる。本明細書と参照により組み込まれるこれらの文献との間に一貫性がない使用がある場合、組み込まれる（複数の）参照における使用は、本明細書のものへの補足であり、矛盾する不一致については、本明細書における使用が支配する。
【０１７７】
本明細書において、用語「ある（a）」又は「ある（an）」は、特許文献において共通なように、１又は１より多いものを含むために用いられ、任意の他の例又は「少なくとも１つ」又は「１又は複数」の使用と無関係である。本明細書において、用語「又は」は、非排他的、又は「Ａ又はＢ」が「ＡがありＢがない」、「ＢがありＡがない」、及び「Ａ及びＢ」を含むように言及するために用いられる。添付の複数の請求項において、用語「含む（including）」及び「において（in which）」は、それぞれ用語「備える（comprising）」及び「ここで（wherein）」の平易な言葉と同等のものとして用いられる。また、下記の複数の請求項において、用語「含む（including）」及び「備える（comprising）」は制約がない、つまり、請求項において、請求項におけるそのような用語の後に列挙されたものに加えて複数のエレメントを含むシステム、デバイス、物品、又は処理もが、その請求項の範囲に含まれるとみなされる。さらに、下記の複数の請求項において、用語「第１」、「第２」、及び「第３」等は、単にラベルとして用いられ、それらの対象の数字上の順序を示唆することが意図されない。
【０１７８】
上記の説明は、例示的であり制限的でないことが意図される。例えば、上述の複数の例（又はそれらの１又は複数の態様）は、他との組み合わせで用いられてよい。他の複数の実施形態は、例えば、上記の説明を検討する当業者によって用いられてよい。要約は、例えば、アメリカ合衆国における３７ＣＦＲ１．７２（ｂ）に準拠すべく、読み手が技術的な開示の本質を迅速に確認することを可能にする。それは、複数の請求項の範囲又は意味を解釈又は限定するために用いられないという理解の元で提出される。また、上記の詳細な説明において、様々な特徴は、本開示を簡素化すべく、ともにグループ化されてよい。しかし、複数の実施形態はここで開示された複数の特徴のサブセットを含んでよいので、複数の請求項は、それらの複数の特徴を説明しなくてよい。さらに、複数の実施形態は、特定の例で開示されたものより少ない特徴を含んでよい。したがって、下記の複数の請求項は、これによって、別の実施形態として、それ自身に依存する請求項とともに詳細な説明に組み込まれる。ここに開示された複数の実施形態の範囲は、添付の複数の請求項を参照して、権利が与えられるそのような複数の請求項の均等物の全範囲と併せて決定されるべきである。
［項目１］
ユーザ機器であって、
拡張型物理ダウンリンク制御チャネル（ｅＰＤＣＣＨ）で、最低制御チャネルエレメントインデックス（ｎＣＣＥ）及び最低拡張型制御チャネルエレメントインデックス（ｎｅＣＣＥ）のうちの１つ、ユーザ機器固有開始オフセット（
0005984277.tif 000163
）、及び少なくとも１つの追加のオフセット関連パラメータを受信する受信機と、
前記最低制御チャネルエレメントインデックス（ｎＣＣＥ）及び前記最低拡張型制御チャネルエレメントインデックス（ｎｅＣＣＥ）の前記１つ、前記ユーザ機器固有開始オフセット（
0005984277.tif 000164
）、並びに前記少なくとも１つの追加のオフセット関連パラメータから選択される少なくとも１つに基づいて、ハイブリッド自動リピートリクエスト肯定応答（ＨＡＲＱ−ＡＣＫ）送信に対する物理アップリンク制御チャネル（ＰＵＣＣＨ）のアップリンクリソースの割り当てを決定するプロセッサと、
割り当てられた前記アップリンクリソースを用いるＰＵＣＣＨ上で、信号を送信する送信機と
を備えるユーザ機器。
［項目２］
前記少なくとも１つの追加のオフセット関連パラメータは、肯定応答／否定応答（ＡＣＫ／ＮＡＣＫ）リソースオフセット（ＡＲＯ）値、アンテナポートオフセット（ＡＰ）、規定のサブフレームにおけるユーザ機器への複数のｅＰＤＣＣＨセットの中のｅＣＣＥインデックスの最大数（Ｎｍ）、複数の協調セルにおいて前記ユーザ機器との衝突を回避するために上位レイヤのシグナリングによって前記ユーザ機器に通知されたオフセット（
0005984277.tif 000165
）、並びに特定のサブフレーム、シグナリングされた値、物理ダウンリンク共有チャネル、及び半永続的スケジューリング（ＳＰＳ）のうちの１又は複数に関連付けられる値から選択される少なくとも１つを備える項目１に記載のユーザ機器。
［項目３］
前記受信機は、無線リソース制御（ＲＲＣ）シグナリングによって設定される検出されたｅＰＤＣＣＨセットに対するユーザ機器固有開始オフセット（
0005984277.tif 000166
）をさらに受信する項目１又は２に記載のユーザ機器。
［項目４］
前記プロセッサは、後方互換性キャリアを用いるＨＡＲＱ−ＡＣＫ送信に対するＰＵＣＣＨのアップリンクリソースのＡＲＩベース割り当て（
0005984277.tif 000167
）が
0005984277.tif 000168
によって与えられることをさらに決定し、ｆ（ｎｅＣＣＥ）は、前記最低拡張型制御チャネルエレメントインデックス（ｎｅＣＣＥ）の関数である項目１から３のいずれか一項に記載のユーザ機器。
［項目５］
前記プロセッサは、新たなキャリアタイプ（ＮＣＴ）に関するＨＡＲＱ−ＡＣＫ送信に対するＰＵＣＣＨのアップリンクリソースのＡＰベース割り当てが
0005984277.tif 000169
又は
0005984277.tif 000170
のうちの１つによって与えられることをさらに決定し、ｆ（ｎＥＣＣＥ，ｍ）は、ｅＰＤＣＣＨセットｍにおいて前記ユーザ機器への検出されたｅＰＤＣＣＨに対する最低ｅＣＣＥインデックスの関数であり、ｍ＝０，１，...，Ｍ−１であり、Ｍは、前記ユーザ機器へのｅＰＤＣＣＨセットの数である項目１から４のいずれか一項に記載のユーザ機器。
［項目６］
前記プロセッサは、後方互換性キャリアを用いるＨＡＲＱ−ＡＣＫ送信に対するＰＵＣＣＨのアップリンクリソースのハイブリッド割り当て（
0005984277.tif 000171
）が
0005984277.tif 000172
によって与えられることをさらに決定する項目１から５のいずれか一項に記載のユーザ機器。
［項目７］
前記プロセッサは、新たなキャリアタイプ（ＮＣＴ）に関するＨＡＲＱ−ＡＣＫ送信に対するＰＵＣＣＨのアップリンクリソースのＡＰベース割り当てが
0005984277.tif 000173
によって与えられることをさらに決定する項目１から６のいずれか一項に記載のユーザ機器。
［項目８］
前記プロセッサは、拡張型ＰＤＣＣＨの送信のためのサブフレームｎに対するリソース割り当てのためのＨＡＲＱ−ＡＣＫバンドリングに対する物理アップリンク制御チャネル（ＰＵＣＣＨ）のアップリンクリソースの割り当てが、ｅＰＤＣＣＨ−ＰＲＢセットｑが分散型送信に対して設定される場合、
0005984277.tif 000174
、ｅＰＤＣＣＨ−ＰＲＢセットｑが局在型送信に対して設定される場合、
0005984277.tif 000175
によって与えられることをさらに決定する項目１から７のいずれか一項に記載のユーザ機器。
［項目９］
前記プロセッサは、さらに、
ＨＡＲＱ−ＡＣＫ送信に対するＰＵＣＣＨのアップリンクリソースのＡＲＩベース割り当てが
0005984277.tif 000176
によって与えられることを決定し、ｖａｌｕｅは、特定のサブフレーム、シグナリングされた値、物理ダウンリンク共有チャネル、及び半永続的スケジューリング（ＳＰＳ）のうちの１又は複数に関連付けられ、
サブフレームにおいて用いられてＰＵＣＣＨフォーマット３に対して設定される拡張型ＰＤＣＣＨに対して、ＡＲＩオフセット値に基づいて、ＨＡＲＱ−ＡＣＫ送信に対するＰＵＣＣＨのアップリンクリソースの割り当てを決定し、
４つの設定されたリソースの中の用いられるＰＵＣＣＨフォーマット３リソースを示すために、プライマリセル上の１に等しいダウンリンク割り当てインデックス（ＤＡＩ）を有するサブフレーム以外において、サブフレームにおいて用いられてＰＵＣＣＨフォーマット３に対して設定される拡張型ＰＤＣＣＨに対して、複数の送信電力制御（ＴＰＣ）を用いるＨＡＲＱ−ＡＣＫ送信に対するＰＵＣＣＨのアップリンクリソースの割り当てを決定し、
サブフレームにおいて用いられてキャリアアグリゲーションに対して設定される前記ユーザ機器に対するチャネル選択を伴うＰＵＣＣＨフォーマット３及びＰＵＣＣＨフォーマット１ｂのうちの１つに対して設定される拡張型ＰＤＣＣＨに対して、プライマリセル上で送信される複数の拡張型ＰＤＣＣＨに対する前記ＡＲＩオフセット値を含むＨＡＲＱ−ＡＣＫ送信に対するＰＵＣＣＨのアップリンクリソースの割り当てを決定し、
拡張型ＰＤＣＣＨのためのダウンリンク（ＤＬ）サブフレームに対するＲＲＣシグナリングによって設定される拡張型ＰＤＣＣＨセットｓに対するユーザ機器固有開始オフセットを用い、レガシーＰＤＣＣＨに関連付けられる複数のＤＬサブフレームに対するＲＲＣシグナリングによって設定される拡張型ＰＤＣＣＨセットｓに対するセル固有開始オフセットを用いるＨＡＲＱ−ＡＣＫ送信に対する前記ＰＵＣＣＨの前記アップリンクリソースの前記割り当てを決定する項目１から８のいずれか一項に記載のユーザ機器。
［項目１０］
前記プロセッサは、サブフレーム内でＨＡＲＱ−ＡＣＫ  ＰＵＣＣＨリソース値を決定するために、プライマリセルにおいて及び各セカンダリセルにおいて、各ＰＤＣＣＨ割り当て上で前記ＨＡＲＱ−ＡＣＫ  ＰＵＣＣＨリソース値をさらに送信する項目１から９のいずれか一項に記載のユーザ機器。
［項目１１］
前記受信機は、１に等しいＤＡＩを有する単一の物理ダウンリンク共有チャネル（ＰＤＳＣＨ）をプライマリセル上でさらに受信し、前記プロセッサは、ＨＡＲＱ−ＡＣＫ送信に対する物理アップリンク制御チャネル（ＰＵＣＣＨ）のアップリンクリソースの割り当てに対する動的リソース割り当てを伴うＰＵＣＣＨフォーマット１ａ／１ｂを用いる項目１から１０のいずれか一項に記載のユーザ機器。
［項目１２］
前記プロセッサは、複数のダウンリンクサブフレームに対して、拡張型物理ダウンリンク制御チャネル及びレガシー物理ダウンリンク制御チャネルのうちの１つだけをさらに用いる項目１から１１のいずれか一項に記載のユーザ機器。
［項目１３］
拡張型物理ダウンリンク制御チャネルリソース割り当てを伴う動的ハイブリッド自動リピートリクエスト肯定応答（ＨＡＲＱ−ＡＣＫ）送信を提供する方法であって、
拡張型物理ダウンリンク制御チャネル（ｅＰＤＣＣＨ）上で、最低制御チャネルエレメントインデックス（ｎＣＣＥ）及び最低拡張型制御チャネルエレメントインデックス（ｎｅＣＣＥ）のうちの１つを受信する段階と、
拡張型物理ダウンリンク制御チャネル（ｅＰＤＣＣＨ）上で、ユーザ機器固有開始オフセット（
0005984277.tif 000177
）を受信する段階と、
拡張型物理ダウンリンク制御チャネル（ｅＰＤＣＣＨ）上で、肯定応答／否定応答（ＡＣＫ／ＮＡＣＫ）リソースオフセット（ＡＲＯ）値、アンテナポートオフセット（ＡＰ)、規定のサブフレームにおけるユーザ機器への複数のｅＰＤＣＣＨセットの中の複数のｅＣＣＥインデックスの最大数（Ｎｍ）、複数の協調セルにおける前記ユーザ機器との衝突を回避するために上位レイヤのシグナリングによって前記ユーザ機器に通知されたオフセット（
0005984277.tif 000178
）、並びに特定のサブフレーム、シグナリングされた値、物理ダウンリンク共有チャネル、及び半永続的スケジューリング（ＳＰＳ）のうちの１又は複数に関連付けられる値から選択される少なくとも１つを受信する段階と、
最低制御チャネルエレメントインデックス（ｎＣＣＥ）及び最低拡張型制御チャネルエレメントインデックス（ｎｅＣＣＥ）のうちの前記１つ、前記ユーザ機器固有開始オフセット（
0005984277.tif 000179
）、並びに肯定応答／否定応答（ＡＣＫ／ＮＡＣＫ）リソースオフセット（ＡＲＯ）値、アンテナポートオフセット（ＡＰ）、規定のサブフレームにおけるユーザ機器への前記複数のｅＰＤＣＣＨセットの中の複数のｅＣＣＥインデックスの最大数（Ｎｍ）、複数の協調セルにおける前記ユーザ機器との衝突を回避するために上位レイヤのシグナリングによって前記ユーザ機器に通知されたオフセット（
0005984277.tif 000180
）、並びに特定のサブフレーム、シグナリングされた値、物理ダウンリンク共有チャネル、及び半永続的スケジューリング（ＳＰＳ）のうちの１又は複数に関連付けられる値から選択される少なくとも１つに基づいて、ＨＡＲＱ−ＡＣＫ送信に対する物理アップリンク制御チャネル（ＰＵＣＣＨ）のアップリンクリソースの割り当てを決定する段階と
を備える方法。
［項目１４］
ユーザ機器固有開始オフセット（
0005984277.tif 000181
）を受信する前記段階は、ＲＲＣシグナリングによって設定される検出されたｅＰＤＣＣＨセットに対するユーザ機器固有開始オフセット（
0005984277.tif 000182
）を受信する段階をさらに備える項目１３に記載の方法。
［項目１５］
ＨＡＲＱ−ＡＣＫ送信に対する物理アップリンク制御チャネル（ＰＵＣＣＨ）のアップリンクリソースの割り当てを決定する前記段階は、後方互換性キャリアを用いるＨＡＲＱ−ＡＣＫ送信に対するＰＵＣＣＨのアップリンクリソースのＡＲＩベース割り当て（
0005984277.tif 000183
）が
0005984277.tif 000184
によって与えられることを決定する段階を備え、ｆ（ｎｅＣＣＥ）は、前記最低拡張型制御チャネルエレメントインデックス（ｎｅＣＣＥ）の関数である項目１３又は１４に記載の方法。
［項目１６］
ＨＡＲＱ−ＡＣＫ送信に対する物理アップリンク制御チャネル（ＰＵＣＣＨ）のアップリンクリソースの割り当てを決定する前記段階は、新たなキャリアタイプ（ＮＣＴ）に関するＨＡＲＱ−ＡＣＫ送信に対するＰＵＣＣＨのアップリンクリソースのＡＰベース割り当てが
0005984277.tif 000185
又は
0005984277.tif 000186
のうちの１つによって与えられることを決定する段階を備え、ここで、ｆ（ｎＥＣＣＥ，ｍ）は、ｅＰＤＣＣＨセットｍにおいて前記ユーザ機器への検出されたｅＰＤＣＣＨに対する最低ｅＣＣＥインデックスの関数であり、ｍ＝０，１，...，Ｍ−１であり、Ｍは、前記ユーザ機器へのｅＰＤＣＣＨセットの数である項目１３から１５のいずれか一項に記載の方法。
［項目１７］
ＨＡＲＱ−ＡＣＫ送信に対する物理アップリンク制御チャネル（ＰＵＣＣＨ）のアップリンクリソースの割り当てを決定する前記段階は、後方互換性キャリアを用いるＨＡＲＱ−ＡＣＫ送信に対するＰＵＣＣＨのアップリンクリソースのハイブリッド割り当て（
0005984277.tif 000187
）が
0005984277.tif 000188
によって与えられることを決定する段階を備える項目１３から１６のいずれか一項に記載の方法。
［項目１８］
ＨＡＲＱ−ＡＣＫ送信に対する物理アップリンク制御チャネル（ＰＵＣＣＨ）のアップリンクリソースの割り当てを決定する前記段階は、新たなキャリアタイプ（ＮＣＴ）に関するＨＡＲＱ−ＡＣＫ送信に対するＰＵＣＣＨのアップリンクリソースのＡＰベース割り当てが
0005984277.tif 000189
によって与えられることを決定する段階を備える項目１３から１７のいずれか一項に記載の方法。
［項目１９］
ＨＡＲＱ−ＡＣＫ送信に対する物理アップリンク制御チャネル（ＰＵＣＣＨ）のアップリンクリソースの割り当てを決定する前記段階は、拡張型ＰＤＣＣＨの送信のためのサブフレームｎに対するリソース割り当てのためのＨＡＲＱ−ＡＣＫバンドリングに対する物理アップリンク制御チャネル（ＰＵＣＣＨ）のアップリンクリソースの割り当て決定する段階を備え、
ｅＰＤＣＣＨ−ＰＲＢセットｑが分散型送信に対して設定される場合、
0005984277.tif 000190
であり、
ｅＰＤＣＣＨ−ＰＲＢセットｑが局在型送信に対して設定される場合、
0005984277.tif 000191
である項目１３から１８のいずれか一項に記載の方法。
［項目２０］
ＨＡＲＱ−ＡＣＫ送信に対する物理アップリンク制御チャネル（ＰＵＣＣＨ）のアップリンクリソースの割り当てを決定する前記段階は、ＨＡＲＱ−ＡＣＫ送信に対するＰＵＣＣＨのアップリンクリソースのＡＲＩベース割り当てが
0005984277.tif 000192
によって与えられることを決定する段階を備え、ここで、ｖａｌｕｅは、特定のサブフレーム、シグナリングされた値、物理ダウンリンク共有チャネル、及び半永続的スケジューリング（ＳＰＳ）のうちの１又は複数に関連付けられる項目１３から１９のいずれか一項に記載の方法。
［項目２１］
ＨＡＲＱ−ＡＣＫ送信に対する物理アップリンク制御チャネル（ＰＵＣＣＨ）のアップリンクリソースの割り当てを決定する前記段階は、
サブフレームにおいて用いられてＰＵＣＣＨフォーマット３に対して設定される拡張型ＰＤＣＣＨに対して、ＡＲＩオフセット値に基づいて、ＨＡＲＱ−ＡＣＫ送信に対するＰＵＣＣＨのアップリンクリソースの割り当てを決定する段階、
４つの設定されたリソースの中の用いられるＰＵＣＣＨフォーマット３リソースを示すために、プライマリセル上の１に等しいダウンリンク割り当てインデックス（ＤＡＩ）を有するサブフレーム以外において、サブフレームにおいて用いられてＰＵＣＣＨフォーマット３に対して設定される拡張型ＰＤＣＣＨに対して、複数の送信電力制御（ＴＰＣ）を用いるＨＡＲＱ−ＡＣＫ送信に対するＰＵＣＣＨのアップリンクリソースの割り当てを決定する段階、
サブフレームにおいて用いられてキャリアアグリゲーションに対して設定される前記ユーザ機器に対するチャネル選択を伴うＰＵＣＣＨフォーマット３及びＰＵＣＣＨフォーマット１ｂのうちの１つに対して設定される拡張型ＰＤＣＣＨに対して、プライマリセル上で送信される複数の拡張型ＰＤＣＣＨに対する前記ＡＲＩオフセット値を含むＨＡＲＱ−ＡＣＫ送信に対するＰＵＣＣＨのアップリンクリソースの割り当てを決定する段階、及び
拡張型ＰＤＣＣＨのためのダウンリンク（ＤＬ）サブフレームに対するＲＲＣシグナリングによって設定される拡張型ＰＤＣＣＨセットｓに対するユーザ機器固有開始オフセットを用い、レガシーＰＤＣＣＨに関連付けられる複数のＤＬサブフレームに対するＲＲＣシグナリングによって設定される拡張型ＰＤＣＣＨセットｓに対するセル固有開始オフセットを用いるＨＡＲＱ−ＡＣＫ送信に対する前記ＰＵＣＣＨの前記アップリンクリソースの前記割り当てを決定する段階
から選択される１つを備える項目１３から２０のいずれか一項に記載の方法。
［項目２２］
ＨＡＲＱ−ＡＣＫ送信に対する物理アップリンク制御チャネル（ＰＵＣＣＨ）のアップリンクリソースの割り当てを決定する前記段階は、サブフレーム内でＨＡＲＱ−ＡＣＫ  ＰＵＣＣＨリソース値を決定するために、プライマリセルにおいて及び各セカンダリセルにおいて、各ＰＤＣＣＨ割り当て上で前記ＨＡＲＱ−ＡＣＫ  ＰＵＣＣＨリソース値を送信する段階を備える項目１３から２１のいずれか一項に記載の方法。
［項目２３］
１に等しいＤＡＩを有する単一の物理ダウンリンク共有チャネル（ＰＤＳＣＨ）をプライマリセル上で受信する段階と、ＨＡＲＱ−ＡＣＫ送信に対する物理アップリンク制御チャネル（ＰＵＣＣＨ）のアップリンクリソースの割り当てに対する動的リソース割り当てを伴うＰＵＣＣＨフォーマット１ａ／１ｂを用いる段階とをさらに備える項目１３から２２のいずれか一項に記載の方法。
［項目２４］
複数のダウンリンクサブフレームに対して、拡張型物理ダウンリンク制御チャネル及びレガシー物理ダウンリンク制御チャネルのうちの１つだけを用いる段階をさらに備える項目１３から２３のいずれか一項に記載の方法。
［項目２５］
項目１３から２４のいずれか一項に記載の方法をコンピュータに実行させるためのプログラム。
【図１】
0005984277.tif 000265
【図２】
0005984277.tif 000266
【図３】
0005984277.tif 000267
【図４】
0005984277.tif 000268
【図５】
0005984277.tif 000269
【図６】
0005984277.tif 000270
【図７】
0005984277.tif 000271
【図８】
0005984277.tif 000272
【図９】
0005984277.tif 000273
【図１０】
0005984277.tif 000274